(57)【要約】同じノード識別子を複数のノードに対して割り当てることからもたらされる混乱は、混乱検出技法の使用と、ノードについての固有の識別子の使用とを通して解決される。いくつかの態様においては、アクセスポイントおよび／またはアクセス端末は、混乱を解決するために、混乱を検出すること、および／または固有の識別子を提供することに関連したオペレーションを実行することができる。
2011504690.tif 000002
【特許請求の範囲】
【請求項１】
アクセスポイントとの通信を確立するための第１の識別子を決定することと、
前記第１の識別子のタイプを決定することと、
前記第１の識別子の前記タイプに基づいて、前記アクセスポイントとの通信を確立するための第２の識別子を決定することと、
を備える通信の方法。
【請求項２】
前記第１の識別子の前記タイプの前記決定は、別のノードが、前記第１の識別子によって識別されるかどうかを示すメッセージを受信すること、を備える、請求項１の方法。
【請求項３】
前記通信を確立するために前記第１の識別子のインジケーションを備えるメッセージを送信すること、をさらに備え、前記第２の識別子の前記決定は、前記第２の識別子が前記通信を確立するために使用されるべきであることを指定する前記メッセージに対する応答を受信すること、を備える、請求項１の方法。
【請求項４】
前記アクセスポイントとの通信を確立する後続の試みのために前記第２の識別子を使用すること、をさらに備える請求項１の方法。
【請求項５】
前記方法は、前記第１の識別子に関連する信号を受信すること、をさらに備え、
前記タイプの前記決定は、前記第１の識別子が、定義された１組の第１のタイプのセル識別子のうちの１つであるかどうかを決定すること、を備え、
前記方法は、前記信号の信号強度が、前記定義された１組のセル識別子に関連する閾値以上であるかどうかを決定すること、をさらに備え、
前記第２の識別子の前記決定は、前記第１の識別子が、前記定義された１組のセル識別子のうちの１つであり、そして前記信号強度が、前記閾値以上である場合に、前記第１の識別子に関連する第２のタイプの識別子のセル識別子を捕捉すること、を備える、請求項１の方法。
【請求項６】
前記定義された組は、前記第１のタイプのすべてのセル識別子のサブセットを備え、
前記定義された組は、別のセルのカバレッジエリア内の複数のセルに対して割り当てられることができるセル識別子を識別する、請求項５の方法。
【請求項７】
前記第１の識別子は、前記アクセスポイントに関連する物理セル識別子、前記アクセスポイントに関連する疑似乱数オフセット、または前記アクセスポイントに関連する捕捉パイロットを備え、
前記第２の識別子は、前記アクセスポイントに関連するグローバルセル識別子、前記アクセスポイントに関連するインターネットプロトコルアドレス、またはネットワーク内で前記アクセスポイントを固有に識別する識別子を備える、請求項１の方法。
【請求項８】
前記第２の識別子の前記決定は、前記第１の識別子の値が１組の指定された値のうちの１つであるかどうかに基づいている、請求項１の方法。
【請求項９】
前記１組の指定された値は、混乱フリーではないとして指定されるアクセスポイントに関連づけられる、請求項８の方法。
【請求項１０】
前記１組の指定された値は、少なくとも１つの指定されたタイプのアクセスポイントに関連づけられる、請求項８の方法。
【請求項１１】
前記少なくとも１つの指定されたタイプは、送信パワーと、カバレッジエリアと、中継能力とから成る群のうちの少なくとも１つに関連している、請求項１０の方法。
【請求項１２】
アクセスポイントとの通信を確立するための第１の識別子を決定するように構成された通信コントローラと、
前記第１の識別子のタイプを決定するように構成され、そしてさらに、前記第１の識別子の前記タイプに基づいて、前記アクセスポイントとの通信を確立するための第２の識別子を決定するように構成された識別子コントローラと、
を備える通信のための装置。
【請求項１３】
前記第１の識別子の前記タイプの前記決定は、別のノードが、前記第１の識別子によって識別されるかどうかを示すメッセージを受信すること、を備える、請求項１２の装置。
【請求項１４】
前記通信を確立するために前記第１の識別子のインジケーションを備えるメッセージを送信するように構成された送信機、をさらに備え、前記第２の識別子の前記決定は、前記第２の識別子が前記通信を確立するために使用されるべきであることを指定する前記メッセージに対する応答を受信すること、を備える、請求項１２の装置。
【請求項１５】
前記通信コントローラは、さらに、前記アクセスポイントとの通信を確立する後続の試みのために前記第２の識別子を使用するように構成されている、請求項１２の装置。
【請求項１６】
前記装置は、前記第１の識別子に関連する信号を受信するように構成された受信機、をさらに備え、
前記タイプの前記決定は、前記第１の識別子が、定義された１組の第１のタイプのセル識別子のうちの１つであるかどうかを決定すること、を備え、
前記装置は、前記信号の信号強度が、前記定義された１組のセル識別子に関連する閾値以上であるかどうかを決定するように構成された信号プロセッサ、をさらに備え、
前記第２の識別子の前記決定は、前記第１の識別子が、前記定義された１組のセル識別子のうちの１つであり、そして前記信号強度が、前記閾値以上である場合に、前記第１の識別子に関連する第２のタイプの識別子のセル識別子を捕捉すること、を備える、請求項１２の装置。
【請求項１７】
前記定義された組は、前記第１のタイプのすべてのセル識別子のサブセットを備え、
前記定義された組は、別のセルのカバレッジエリア内の複数のセルに対して割り当てられることができるセル識別子を識別する、請求項１６の装置。
【請求項１８】
前記第１の識別子は、前記アクセスポイントに関連する物理セル識別子、前記アクセスポイントに関連する疑似乱数オフセット、または前記アクセスポイントに関連する捕捉パイロットを備え、
前記第２の識別子は、前記アクセスポイントに関連するグローバルセル識別子、前記アクセスポイントに関連するインターネットプロトコルアドレス、またはネットワーク内で前記アクセスポイントを固有に識別する識別子を備える、請求項１２の装置。
【請求項１９】
前記第２の識別子の前記決定は、前記第１の識別子の値が１組の指定された値のうちの１つであるかどうかに基づいている、請求項１２の装置。
【請求項２０】
前記１組の指定された値は、混乱フリーではないとして指定されるアクセスポイントに関連づけられる、請求項１９の装置。
【請求項２１】
前記１組の指定された値は、少なくとも１つの指定されたタイプのアクセスポイントに関連づけられる、請求項１９の装置。
【請求項２２】
前記少なくとも１つの指定されたタイプは、送信パワーと、カバレッジエリアと、中継能力とから成る群のうちの少なくとも１つに関連している、請求項２１の装置。
【請求項２３】
アクセスポイントとの通信を確立するための第１の識別子を決定するための手段と、
前記第１の識別子のタイプを決定するための手段と、
前記第１の識別子の前記タイプに基づいて、前記アクセスポイントとの通信を確立するための第２の識別子を決定するための手段と、
を備える通信のための装置。
【請求項２４】
前記第１の識別子の前記タイプの前記決定は、別のノードが、前記第１の識別子によって識別されるかどうかを示すメッセージを受信すること、を備える、請求項２３の装置。
【請求項２５】
前記通信を確立するために前記第１の識別子のインジケーションを備えるメッセージを送信するための手段、をさらに備え、前記第２の識別子の前記決定は、前記第２の識別子が前記通信を確立するために使用されるべきであることを指定する前記メッセージに対する応答を受信すること、を備える、請求項２３の装置。
【請求項２６】
前記アクセスポイントとの通信を確立する後続の試みのために前記第２の識別子を使用するための手段、をさらに備える請求項２３の装置。
【請求項２７】
前記装置は、前記第１の識別子に関連する信号を受信するための手段、をさらに備え、
前記タイプの前記決定は、前記第１の識別子が、定義された１組の第１のタイプのセル識別子のうちの１つであるかどうかを決定すること、を備え、
前記装置は、前記信号の信号強度が、前記定義された１組のセル識別子に関連する閾値以上であるかどうかを決定するための手段、をさらに備え、
前記第２の識別子の前記決定は、前記第１の識別子が、前記定義された１組のセル識別子のうちの１つであり、そして前記信号強度が、前記閾値以上である場合に、前記第１の識別子に関連する第２のタイプの識別子のセル識別子を捕捉すること、を備える、請求項２３に記載の装置。
【請求項２８】
前記定義された組は、前記第１のタイプのすべてのセル識別子のサブセットを備え、
前記定義された組は、別のセルのカバレッジエリア内の複数のセルに対して割り当てられることができるセル識別子を識別する、請求項２７の装置。
【請求項２９】
前記第１の識別子は、前記アクセスポイントに関連する物理セル識別子、前記アクセスポイントに関連する疑似乱数オフセット、または前記アクセスポイントに関連する捕捉パイロットを備え、
前記第２の識別子は、前記アクセスポイントに関連するグローバルセル識別子、前記アクセスポイントに関連するインターネットプロトコルアドレス、またはネットワーク内で前記アクセスポイントを固有に識別する識別子を備える、請求項２３の装置。
【請求項３０】
前記第２の識別子の前記決定は、前記第１の識別子の値が１組の指定された値のうちの１つであるかどうかに基づいている、請求項２３の装置。
【請求項３１】
前記１組の指定された値は、混乱フリーではないとして指定されるアクセスポイントに関連づけられる、請求項３０の装置。
【請求項３２】
前記１組の指定された値は、少なくとも１つの指定されたタイプのアクセスポイントに関連づけられる、請求項３０の装置。
【請求項３３】
前記少なくとも１つの指定されたタイプは、送信パワーと、カバレッジエリアと、中継能力とから成る群のうちの少なくとも１つに関連している、請求項３２の装置。
【請求項３４】
コンピュータに、
アクセスポイントとの通信を確立するための第１の識別子を決定するように、
前記第１の識別子のタイプを決定するように、
前記第１の識別子の前記タイプに基づいて、前記アクセスポイントとの通信を確立するための第２の識別子を決定するように、
させるためのコードを備えるコンピュータ可読媒体、
を備えるコンピュータプログラムプロダクト。
【請求項３５】
前記第１の識別子の前記タイプの前記決定は、別のノードが、前記第１の識別子によって識別されるかどうかを示すメッセージを受信すること、を備える、請求項３４のコンピュータプログラムプロダクト。
【請求項３６】
前記コンピュータ可読媒体は、前記コンピュータに、前記通信を確立するために前記第１の識別子のインジケーションを備えるメッセージを送信するようにさせるためのコードをさらに備え、前記第２の識別子の前記決定は、前記第２の識別子が前記通信を確立するために使用されるべきであることを指定する前記メッセージに対する応答を受信すること、を備える、請求項３４のコンピュータプログラムプロダクト。
【請求項３７】
前記コンピュータ可読媒体は、前記コンピュータに、前記アクセスポイントとの通信を確立する後続の試みのために前記第２の識別子を使用するようにさせるためのコードをさらに備える、請求項３４のコンピュータプログラムプロダクト。
【請求項３８】
第１のアクセスポイントと通信することと、
前記第１のアクセスポイントに関連する１組の識別子のうちの識別子を選択することと、
前記第２のアクセスポイントとの通信を確立するときに前記選択された識別子を第２のアクセスポイントに対して送信することと、
を備える通信の方法。
【請求項３９】
前記識別子の前記選択は、前記第１のアクセスポイントに関連するノードタイプに基づいている、請求項３８の方法。
【請求項４０】
前記１組の識別子は、第１の識別子と、第２の識別子とを備え、前記選択された識別子は、前記第２の識別子を備える、請求項３８の方法。
【請求項４１】
前記第１の識別子は、前記第１のアクセスポイントに関連する物理セル識別子、前記第１のアクセスポイントに関連する疑似乱数オフセット、または前記第１のアクセスポイントに関連する捕捉パイロットを備え、
前記第２の識別子は、前記第１のアクセスポイントに関連するグローバルセル識別子、前記第１のアクセスポイントに関連するインターネットプロトコルアドレス、またはネットワーク内で前記第１のアクセスポイントを固有に識別する識別子を備える、請求項４０の方法。
【請求項４２】
前記第２の識別子は、そうでなければ、前記第２のアクセスポイントとの通信を確立するときに前記第１の識別子の使用によって引き起こされる可能性がある混乱を回避するために選択される、請求項４０の方法。
【請求項４３】
前記識別子の前記選択は、前記第１の識別子の値が、１組の指定された値のうちの１つであるかどうかに基づいている、請求項４０の方法。
【請求項４４】
前記１組の指定された値は、混乱フリーではないとして指定されるアクセスポイントと、閉ざされた加入者グループと、少なくとも１つの指定されたタイプのアクセスポイントとから成る群のうちの少なくとも１つに関連づけられる、請求項４３の方法。
【請求項４５】
前記少なくとも１つの指定されたタイプは、送信パワーと、カバレッジエリアと、中継能力とから成る群のうちの少なくとも１つに関連している、請求項４４の方法。
【請求項４６】
前記第１のアクセスポイントから前記１組の指定された値のリストを受信すること、をさらに備える請求項４３の方法。
【請求項４７】
前記識別子の前記選択は、前記第１のアクセスポイントとの通信の喪失によってトリガされる、請求項３８の方法。
【請求項４８】
第１のアクセスポイントと通信するように構成された通信コントローラと、
前記第１のアクセスポイントに関連する１組の識別子のうちの識別子を選択するように構成された識別子コントローラと、
を備え、
前記通信コントローラは、さらに、前記第２のアクセスポイントとの通信を確立するときに前記選択された識別子を第２のアクセスポイントに対して送信するように構成されている、通信のための装置。
【請求項４９】
前記識別子の前記選択は、前記第１のアクセスポイントに関連するノードタイプに基づいている、請求項４８の装置。
【請求項５０】
前記１組の識別子は、第１の識別子と、第２の識別子とを備え、前記選択された識別子は、前記第２の識別子を備える、請求項４８の装置。
【請求項５１】
前記第１の識別子は、前記第１のアクセスポイントに関連する物理セル識別子、前記第１のアクセスポイントに関連する疑似乱数オフセット、または前記第１のアクセスポイントに関連する捕捉パイロットを備え、
前記第２の識別子は、前記第１のアクセスポイントに関連するグローバルセル識別子、前記第１のアクセスポイントに関連するインターネットプロトコルアドレス、またはネットワーク内で前記第１のアクセスポイントを固有に識別する識別子を備える、請求項５０の装置。
【請求項５２】
前記第２の識別子は、そうでなければ、前記第２のアクセスポイントとの通信を確立するときに前記第１の識別子の使用によって引き起こされる可能性がある混乱を回避するために選択される、請求項５０に記載の装置。
【請求項５３】
前記識別子の前記選択は、前記第１の識別子の値が、１組の指定された値のうちの１つであるかどうかに基づいている、請求項５０の装置。
【請求項５４】
前記１組の指定された値は、混乱フリーではないとして指定されるアクセスポイントと、閉ざされた加入者グループと、少なくとも１つの指定されたタイプのアクセスポイントとから成る群のうちの少なくとも１つに関連づけられる、請求項５３の装置。
【請求項５５】
前記少なくとも１つの指定されたタイプは、送信パワーと、カバレッジエリアと、中継能力とから成る群のうちの少なくとも１つに関連している、請求項５４の装置。
【請求項５６】
前記第１のアクセスポイントから前記１組の指定された値のリストを受信するように構成された受信機、をさらに備える請求項５３の装置。
【請求項５７】
前記識別子の前記選択は、前記第１のアクセスポイントとの通信の喪失によってトリガされる、請求項４８の装置。
【請求項５８】
第１のアクセスポイントと通信するための手段と、
前記第１のアクセスポイントに関連する１組の識別子のうちの識別子を選択するための手段と、
前記第２のアクセスポイントとの通信を確立するときに前記選択された識別子を第２のアクセスポイントに対して送信するための手段と、
を備える通信のための装置。
【請求項５９】
前記識別子の前記選択は、前記第１のアクセスポイントに関連するノードタイプに基づいている、請求項５８の装置。
【請求項６０】
前記１組の識別子は、第１の識別子と、第２の識別子とを備え、前記選択された識別子は、前記第２の識別子を備える、請求項５８の装置。
【請求項６１】
前記第１の識別子は、前記第１のアクセスポイントに関連する物理セル識別子、前記第１のアクセスポイントに関連する疑似乱数オフセット、または前記第１のアクセスポイントに関連する捕捉パイロットを備え、
前記第２の識別子は、前記第１のアクセスポイントに関連するグローバルセル識別子、前記第１のアクセスポイントに関連するインターネットプロトコルアドレス、またはネットワーク内で前記第１のアクセスポイントを固有に識別する識別子を備える、請求項６０の装置。
【請求項６２】
前記第２の識別子は、そうでなければ、前記第２のアクセスポイントとの通信を確立するときに前記第１の識別子の使用によって引き起こされる可能性がある混乱を回避するために選択される、請求項６０の装置。
【請求項６３】
前記識別子の前記選択は、前記第１の識別子の値が、１組の指定された値のうちの１つであるかどうかに基づいている、請求項６０の装置。
【請求項６４】
前記１組の指定された値は、混乱フリーではないとして指定されるアクセスポイントと、閉ざされた加入者グループと、少なくとも１つの指定されたタイプのアクセスポイントとから成る群のうちの少なくとも１つに関連づけられる、請求項６３の装置。
【請求項６５】
前記少なくとも１つの指定されたタイプは、送信パワーと、カバレッジエリアと、中継能力とから成る群のうちの少なくとも１つに関連している、請求項６４の装置。
【請求項６６】
前記第１のアクセスポイントから前記１組の指定された値のリストを受信するための手段、をさらに備える請求項６３の装置。
【請求項６７】
前記識別子の前記選択は、前記第１のアクセスポイントとの通信の喪失によってトリガされる、請求項５８の装置。
【請求項６８】
コンピュータに、
第１のアクセスポイントと通信するように、
前記第１のアクセスポイントに関連する１組の識別子のうちの識別子を選択するように、
前記第２のアクセスポイントとの通信を確立するときに前記選択された識別子を第２のアクセスポイントに対して送信するように、
させるためのコードを備えるコンピュータ可読媒体、
を備えるコンピュータプログラムプロダクト。
【請求項６９】
前記識別子の前記選択は、前記第１のアクセスポイントに関連するノードタイプに基づいている、請求項６８のコンピュータプログラムプロダクト。
【請求項７０】
前記１組の識別子は、第１の識別子と、第２の識別子とを備え、
前記第１の識別子は、前記第１のアクセスポイントに関連する物理セル識別子、前記第１のアクセスポイントに関連する疑似乱数オフセット、または前記第１のアクセスポイントに関連する捕捉パイロットを備え、
前記第２の識別子は、前記第１のアクセスポイントに関連するグローバルセル識別子、前記第１のアクセスポイントに関連するインターネットプロトコルアドレス、またはネットワーク内で前記第１のアクセスポイントを固有に識別する識別子を備え、
前記選択された識別子は、前記第２の識別子を備える、請求項６８のコンピュータプログラムプロダクト。
【発明の詳細な説明】
【技術分野】
【０００１】
本願は、一般に通信に関し、そしてより詳細には、但し排他的ではないが、通信ノードに関連する混乱(confusion)を解決することに関する。
【背景技術】
【０００２】
［３５Ｕ．Ｓ．Ｃ．§１１９の下の優先権の主張］
本願は、その各々の開示が、ここにおいて参照によってこれによって組み込まれており、共同所有された、２００７年１１月１６日に出願され、そしてアトーニィドケット番号０７２３２６Ｐ１を割り当てられた米国仮特許出願第６０／９８８，６４６号と、２００８年６月６日に出願され、そしてアトーニィドケット番号０８１７６９Ｐ１を割り当てられた米国仮特許出願第６１／０５９，６５４号と、２００８年６月１９日に出願され、そしてアトーニィドケット番号０８１８６９Ｐ１を割り当てられた米国仮特許出願第６１／０７４，１１４号と、２００８年６月２３日に出願され、そしてアトーニィドケット番号０８１８９３Ｐ１を割り当てられた米国仮特許出願第６１／０７４，９３５号との利益と優先権とを主張するものである。
【０００３】
［関連出願の相互参照］
本願は、その開示が、ここにおいて参照によってこれによって組み込まれている、「ノード識別子の混乱を解決すること(RESOLVING NODE IDENTIFIER CONFUSION)」という名称の、そしてアトーニィドケット番号０７２３２６を割り当てられた、同時に出願され、そして共同所有された米国特許出願第１２／２６９，６６６号に関する。
【０００４】
ワイヤレス通信システムは、様々なタイプの通信（例えば、音声、データ、マルチメディアサービスなど）を多数のユーザに対して提供するために広く展開される。高速の、そしてマルチメディアのデータサービスについての要求が、急速に増大するにつれて、改良された性能を有する効率的な、そしてロバストな通信システムをインプリメントすべき課題が存在している。
【０００５】
従来のモバイル電話ネットワーク基地局（例えば、マクロセル）を補完するために、小さなカバレッジの基地局が、よりロバストなインドアワイヤレスカバレッジ(indoor wireless coverage)をモバイルユニットに対して提供するために展開される（例えば、ユーザの家にインストールされる）ことができる。そのような小さなカバレッジの基地局は、一般にアクセスポイント基地局(access point base stations)、ホームＮｏｄｅＢ(Home NodeBs)、またはフェムトセル(femto cells)として知られている。一般的に、そのような小さなカバレッジの基地局は、ＤＳＬルータ(DSL router)またはケーブルモデムを経由してインターネットと、モバイルオペレータのネットワークに接続される。
【０００６】
実際には、ある与えられたエリアの中に（例えば、ある与えられたマクロセルのカバレッジエリア内に）展開される比較的多数の基地局（例えば、フェムトセル）が存在することができる。そのような場合には、これらの基地局を識別するための効果的な技法についての必要性があり、その結果、ネットワークの中の他のノードは、これらの基地局と通信することができる。
【発明の概要】
【０００７】
本開示の例の態様についての概要は以下の通りである。ここにおいての用語、態様に対するどのような言及も、本開示の１つまたは複数の態様を意味することができることを理解すべきである。
【０００８】
本開示は、ある態様においては、ノード識別子に関連する混乱を解決することに関する。例えば、限られた数のノード識別子は、ネットワークの中の複数のノード（例えばアクセスポイント）が、同じ識別子を割り当てられることができるように、ネットワーク内で定義されることができる。したがって、アクセス端末が、ソースノードからターゲットノードへとハンドオーバーされているときに、混乱が、ターゲットノードの識別情報(identity)について生ずる可能性がある。様々な技法が、そのような混乱を解決するためにここにおいて説明される。
【０００９】
いくつかの態様においては、ターゲットノードへとハンドオーバーされるべきアクセス端末は、ターゲットノードに関連する固有の識別子を捕捉することにより、ターゲットノードに関連した混乱を解決することができる。いくつかのインプリメンテーションにおいては、アクセス端末は、この固有の識別子をハンドオーバーオペレーション(handover operations)を開始するソースノードに対して送信する。他のインプリメンテーションにおいては、アクセス端末は、ハンドオーバーオペレーションを開始するために固有の識別子を使用する。
【００１０】
アクセス端末は、混乱を検出するように構成されることができる。いくつかの場合においては、アクセス端末は、混乱を自律的に検出する。例えば、アクセス端末は、受信信号に関連する識別子を監視し、そして複数のノードが同じ識別子を使用していることを示す測定報告を生成することができる。
【００１１】
別の例として、信号閾値は、たぶん混乱を受けているものとして識別されている１組の識別子に対して割り当てられることができる。次いで、この閾値は、もっと固有の識別子の捕捉をトリガするために、あるいはソースノードにおける混乱決定オペレーション(confusion determination operation)をトリガするために使用されることができる。
【００１２】
いくつかの場合においては、アクセス端末は、要求に応じて混乱を検出する。例えば、ソースノードは、アクセス端末が、測定報告を経由して混乱に関連した情報を送信することを要求するメッセージをアクセス端末に対して定期的に送信することができる。
【００１３】
アクセスポイントは、混乱を検出するように構成されていることができる。例えば、アクセスポイントは、近隣の発見、ハンドオーバー要求の中で識別されるターゲットノード、または受信されたコンフィギュレーション情報に基づいて混乱を検出することができる。混乱を検出するとすぐに、アクセスポイントは、アクセス端末が、混乱を解決するために固有の識別子を捕捉することを要求するメッセージをアクセス端末に対して送信することができる。いくつかの場合においては、このメッセージは、アクセス端末に、ハンドオーバーオペレーションを開始するために固有の識別子を使用するように指示することができる。
【００１４】
混乱の解決はまた、アクセス端末がターゲットノードに直接にアクセスするときに、使用されることもできる。例えば、アクセス端末についてのリソースがターゲットノードによって捕捉される前に、アクセス端末が、ターゲットノードとの通信を確立する場合に、アクセス端末は、ソースノードについての固有の識別子をターゲットノードに対して送信することができる。このようにして、ソースノードによって使用されるノード識別子が、混乱している可能性があるときでさえ、ターゲットノードは、ソースノードから適切なリソースを捕捉することができる。
【図面の簡単な説明】
【００１５】
【図１】図１は、混乱を解決するように構成された通信システムのいくつかの例の態様の簡略化されたブロック図である。
【図２】図２は、ワイヤレス通信についてのカバレッジエリアを示す簡略化された図である。
【図３】図３は、第２のタイプの識別子の使用を指定するために実行されることができるオペレーションのいくつかの例の態様のフローチャートである。
【図４】図４は、通信ノードの中で使用されることができるコンポーネントのいくつかの例の態様の簡略化されたブロック図である。
【図５】図５は、ノードと通信するために第２のタイプの識別子を使用すべきかどうかを決定するために実行されることができるオペレーションのいくつかの例の態様のフローチャートである。
【図６】図６は、識別子のリストに基づいてノードと通信するために第２のタイプの識別子を使用すべきかどうかを決定するために実行されることができるオペレーションのいくつかの例の態様のフローチャートである。
【図７】図７は、ソースノードについての混乱を解決するために実行されることができるオペレーションのいくつかの例の態様のフローチャートである。
【図８】図８は、第２のタイプの識別子の捕捉を要求すべきかどうかを決定するために実行されることができるオペレーションのいくつかの例の態様のフローチャートである。
【図９Ａ】図９Ａは、第２のタイプの識別子を捕捉するようにアクセス端末をトリガするために実行されることができるオペレーションのいくつかの例の態様のフローチャートである。
【図９Ｂ】図９Ｂは、第２のタイプの識別子を捕捉するようにアクセス端末をトリガするために実行されることができるオペレーションのいくつかの例の態様のフローチャートである。
【図１０Ａ】図１０Ａは、第２のタイプの識別子を捕捉するようにアクセス端末をトリガするために実行されることができるオペレーションのいくつかの例の態様のフローチャートである。
【図１０Ｂ】図１０Ｂは、第２のタイプの識別子を捕捉するようにアクセス端末をトリガするために実行されることができるオペレーションのいくつかの例の態様のフローチャートである。
【図１１】図１１は、混乱を検出するアクセス端末に関連して実行されることができるオペレーションのいくつかの例の態様のフローチャートである。
【図１２】図１２は、混乱を検出するアクセス端末に関連して実行されることができるオペレーションのいくつかの例の態様のフローチャートである。
【図１３】図１３は、要求のすぐ後に混乱報告を提供するアクセス端末に関連して実行されることができるオペレーションのいくつかの例の態様のフローチャートである。
【図１４】図１４は、ワイヤレス通信システムの簡略化された図である。
【図１５】図１５は、フェムトノードを含むワイヤレス通信システムの簡略化された図である。
【図１６】図１６は、通信コンポーネントのいくつかの例の態様の簡略化されたブロック図である。
【図１７】図１７は、ここにおいて教示されるように混乱を解決するように構成された装置のいくつかの例の態様の簡略化されたブロック図である。
【図１８】図１８は、ここにおいて教示されるように混乱を解決するように構成された装置のいくつかの例の態様の簡略化されたブロック図である。
【図１９】図１９は、ここにおいて教示されるように混乱を解決するように構成された装置のいくつかの例の態様の簡略化されたブロック図である。
【図２０】図２０は、ここにおいて教示されるように混乱を解決するように構成された装置のいくつかの例の態様の簡略化されたブロック図である。
【図２１】図２１は、ここにおいて教示されるように混乱を解決するように構成された装置のいくつかの例の態様の簡略化されたブロック図である。
【詳細な説明】
【００１６】
本開示のこれらおよび他の例の態様は、以下に続く詳細な説明、および添付の特許請求の範囲の中で、そして添付図面の中で説明されるであろう。
【００１７】
慣行に従って、図面の中で示される様々な特徴は、スケール変更するように示されないことができる。したがって、様々な特徴の寸法は、明確にするために任意に拡大され、あるいは縮小されることができる。さらに、図面のうちのいくつかは、明確にするために簡略化されることができる。したがって、図面は、与えられた装置（例えば、デバイス）または方法についてのコンポーネントの必ずしもすべてを示さなくてもよい。最後に、同様な参照番号は、明細書と図面との全体を通して同様な特徴を示すために使用されることができる。
【００１８】
本開示の様々な態様が、以下に説明される。ここにおける教示は、多種多様な形態で実施されることができることと、ここにおいて開示されている特定の任意の構造、機能、またはそれらの両方は、単に代表的なものにすぎないこととは、明らかであるべきである。ここにおける教示に基づいて、当業者は、ここにおいて開示される態様が、他の任意の態様とは独立にインプリメントされることができることと、これらの態様のうちの２つ以上が、様々なやり方で組み合わされることができることとを理解すべきである。例えば、ここにおいて述べられる任意の数の態様を使用して、装置は、インプリメントされることができ、あるいは方法は、実行されることができる。さらに、ここにおいて述べられる１つまたは複数の態様に加えて、あるいはそれら以外の、他の構造、機能、あるいは構造および機能を使用して、そのような装置は、インプリメントされることができ、あるいはそのような方法は、実行されることができる。さらに、一態様は、請求項の少なくとも１つの要素を備えることができる。
【００１９】
図１は、一例の通信システム１００の中のいくつかのノード（例えば、通信ネットワークの一部分）を示している。図示するために、本開示の様々な態様は、互いに通信する１つまたは複数のアクセス端末と、アクセスポイントと、ネットワークノードとの関連で説明されることになる。しかしながら、ここにおける教示は、他の専門用語（例えば、基地局、ユーザ装置など）を使用して言及される他のタイプの装置、あるいは他の類似した装置に対しても適用可能とすることができることを理解すべきである。
【００２０】
システム１００の中のアクセスポイントは、関連する地理的エリア内にインストールされることができ、あるいは関連する地理的エリア全体を通してローミングする(roam)ことができる１つまたは複数のワイヤレス端末（例えば、アクセス端末１０２）についての１つまたは複数のサービス（例えば、ネットワーク接続性）を提供する。例えば、時間における様々なポイントにおいて、アクセス端末１０２は、アクセスポイント１０４、１組のアクセスポイント１〜Ｎ（アクセスポイント１０６および１０８と、関連する省略記号とによって表される）のうちの任意の１つ、あるいはアクセスポイント１１０に対して接続することができる。アクセスポイント１０２〜１１０の各々は、ワイドエリアネットワークの接続性を容易にするために１つまたは複数のネットワークノード（便宜上、ネットワークノード１１２によって表される）と通信することができる。そのようなネットワークノードは、例えば、１つまたは複数の無線および／またはコアのネットワークエンティティ（例えば、コンフィギュレーションマネージャ(configuration manager)、モビリティ管理エンティティ、または何らかの他の適切なネットワークエンティティ）など、様々な形態を取ることができる。
【００２１】
システム１００の中の各アクセスポイントは、ここにおいてノード識別子と称される第１のタイプの識別子を割り当てられる。様々なインプリメンテーションにおいては、そのような識別子は、例えば、物理セル識別子(physical cell identifier)（「ＰＣＩＤ」）、疑似乱数(pseudorandom number)（「ＰＮ」）オフセット、または捕捉パイロット(acquisition pilot)を備えることができる。一般的に、ノード識別子の固定量（例えば、５０４）は、与えられたシステムの中で定義される。そのような場合においては、混乱は、アクセスポイントの数が、ノード識別子の数を超過するときに生ずる可能性がある。図１は、この簡単な一例を示しており、ここでアクセスポイント１０６と、アクセスポイント１１０とは、両方ともに「識別子１」を割り当てられる。
【００２２】
アクセス端末１０２が、システム１００を通してローミングするときに、アクセス端末１０２は、１つのアクセスポイント（例えば、アクセスポイント１０４）から別のアクセスポイント（例えば、アクセスポイント１１０）へとハンドオーバーされることができる。アクセス端末１０２をアクセスポイント１１０へとハンドオーバーする決定は、アクセス端末１０２が、アクセスポイント１１０から特に強い信号を受信しているかどうかに基づいたものとすることができる。ここで、アクセス端末１０２は、これらの信号に関連する（例えば、内部に埋め込まれた）ノード識別子を経由してアクセスポイント１１０からの信号を識別する。ハンドオーバーを遂行するために、ソースアクセスポイント１０４（アクセス端末が現在接続されているアクセスポイント）によって保持される様々な情報は、ターゲットアクセスポイント１１０へと転送される。混乱のない場合には、これは、アクセスポイント１１０に関連するノード識別子（「識別子１」）の使用を通して遂行されることができる。しかしながら、混乱が、図１の例におけるように存在するときには、アクセスポイント１０４は、情報が、アクセスポイント１０６に送信されるべきか、またはアクセスポイント１１０に送信されるべきかを決定することができない可能性がある。
【００２３】
このような混乱を解決するために、アクセス端末１０２および／またはアクセスポイント１０４は、その混乱を検出するように、そしてアクセスポイント１１０に関連する第２のタイプの識別子を決定するように構成されている。いくつかの態様においては、第２のタイプの識別子は、固有の識別子を備える。例えば、第２のタイプの識別子は、第１のタイプの識別子よりも大きな領域内で固有とすることができる。いくつかのインプリメンテーションにおいては、第２のタイプの識別子は、オペレータのネットワーク全体を通して固有とすることができる。様々なインプリメンテーションにおいては、そのような固有の識別子は、例えば、グローバルセル識別子(global cell identifier)（「ＧＣＩ」）、アクセスノード識別子(access node identifier)（「ＡＮＩＤ」）、セクタ識別子、インターネットプロトコルアドレス、あるいはネットワーク内でアクセスポイント１１０を固有に識別する何らかの他の識別子を備えることができる。
【００２４】
いくつかのインプリメンテーションにおいては、アクセス端末１０２は、システム１００の中のノードの間の実際の、または可能性のある混乱を検出することができる混乱検出器(confusion detector)１１４を含んでいる。混乱を検出するとすぐに、アクセス端末１０２（例えば、固有識別子コントローラ(unique identifier controller)１１６）は、固有の識別子を捕捉することができる。例えば、アクセス端末１０２は、アクセスポイント１１０によってブロードキャストされる固有の識別子を含む信号について監視することができる。混乱を検出するとすぐに、アクセス端末１０２は、混乱について、かつ／または固有の識別子についてアクセスポイント１０４に通知することもできる。
【００２５】
いくつかのインプリメンテーションにおいては、アクセスポイント１０４は、システム１００の中のノードの間の実際の、または可能性のある混乱を検出することができる混乱コントローラ１１８を含んでいる。例えば、混乱コントローラ１１８は、自律的に、あるいはアクセス端末１０２からの混乱のインジケーションの受信のすぐ後に、混乱を検出することができ、混乱コントローラ１１８は、混乱があるかどうかを決定するさらなるステップを取ることができる。混乱が検出される場合には、アクセスポイント１０４は、アクセス端末１０２に固有の識別子を捕捉するように要求することができる。
【００２６】
ひとたび混乱が上記に論じられるように解決された後に、アクセスポイント１０４（例えば、ハンドオーバーコントローラ１２０）は、固有の識別子に基づいてハンドオーバーオペレーションを開始することができる。このようにして、アクセス端末１０２は、望ましいターゲットアクセスポイントへと効率的にハンドオーバーされることができる。以下で説明されるように、いくつかのインプリメンテーションにおいては、アクセス端末１０２は、（例えば、図示されないハンドオーバーコントローラのオペレーションにより）固有の識別子に基づいて（例えば、ひとたびそれが混乱を解決した後に）ハンドオーバーオペレーションを開始することができる。
【００２７】
上記に説明される混乱は、図２に示されるようなネットワーク２００の中で生ずる可能性があり、ここで、いくつかのアクセスポイントは、マクロカバレッジ(macro coverage)を提供し、そして他のアクセスポイントは、より小さなカバレッジを提供する。ここで、マクロカバレッジエリア２０４は、例えば、一般的にマクロセルネットワーク、またはワイドエリアネットワーク(wide area network)（「ＷＡＮ」）と称される、３Ｇネットワークなどの大面積のセルラネットワークのマクロアクセスポイントによって提供されることができる。さらに、より小さなカバレッジエリア２０６は、例えば、一般的にローカルエリアネットワーク(local area network)（「ＬＡＮ」）と称される、住居ベースの、またはビルディングベースのネットワーク環境のアクセスポイントによって提供されることができる。アクセス端末(access terminal)（「ＡＴ」）が、そのようなネットワークを通して移動するときに、アクセス端末は、マクロカバレッジを提供するアクセスポイントによってある種のロケーションの中でサービスを提供される(served)ことができるが、アクセス端末は、より小面積のカバレッジを提供するアクセスポイントによって他のロケーションにおいてサービスを提供されることができる。いくつかの態様においては、より小面積のカバレッジのアクセスポイントは、増加する容量増大と、ビルディング内カバレッジ(in-building coverage)と、異なるサービスとを提供するために使用されることができ、すべては、よりロバストなユーザ経験をもたらす。
【００２８】
ここにおける説明の中では、比較的大きなエリア上のカバレッジを提供するノード（例えば、アクセスポイント）は、マクロノード(macro node)と称されることができるが、比較的小さなエリア（例えば、住居）上のカバレッジを提供するノードは、フェムトノード(femto node)と称されることができる。ここにおける教示は、他のタイプのカバレッジエリアに関連するノードに対して適用可能とすることができることを理解すべきである。例えば、ピコノード(pico node)は、マクロエリアよりも小さく、そしてフェムトエリア（例えば、商用ビルディング内のカバレッジ）よりも大きなエリア上のカバレッジを提供することができる。様々なアプリケーションにおいては、他の専門用語が、マクロノード、フェムトノード、または他のアクセスポイントタイプのノードを言及するために使用されることができる。例えば、マクロノードは、アクセスノード、基地局、アクセスポイント、ｅＮｏｄｅＢ、マクロセルなどとして構成され、あるいは称されることができる。また、フェムトノードは、ホームＮｏｄｅＢ、ホームｅＮｏｄｅＢ、アクセスポイント、基地局、フェムトセルなどとして構成され、あるいは称されることもできる。いくつかのインプリメンテーションにおいては、ノードは、１つまたは複数のセルまたはセクタに関連づけられる（例えば、分割される）ことができる。マクロノード、フェムトノード、またはピコノードに関連するセルまたはセクタは、それぞれマクロセル、フェムトセル、またはピコセルと称されることができる。
【００２９】
図２の例においては、各々がいくつかのマクロカバレッジエリア２０４を含むいくつかのトラッキングエリア(tracking area)２０２（あるいはルーティングエリア(routing areas)またはロケーションエリア）が、定義される。ここで、トラッキングエリア２０２Ａ、２０２Ｂ、および２０２Ｃに関連するカバレッジのエリアは、幅広線によって示され、そしてマクロカバレッジエリア２０４は、六角形によって表される。上記に述べられるように、トラッキングエリア２０２は、フェムトカバレッジエリア２０６を含むこともできる。この例においては、フェムトカバレッジエリア２０６の各々（例えば、フェムトカバレッジエリア２０６Ｃ）は、１つまたは複数のマクロカバレッジエリア２０４（例えば、マクロカバレッジエリア２０４Ｂ）内に示される。しかしながら、フェムトカバレッジエリア２０６は、完全にマクロカバレッジエリア２０４内に存在しなくてもよいことを理解すべきである。また、１つまたは複数のピコまたはフェムトのカバレッジエリア（図示されず）は、与えられたトラッキングエリア２０２、またはマクロカバレッジエリア２０４の内部で定義されることもできる。
【００３０】
フェムトノードやピコノードなど、多数のアクセスポイントが、与えられたエリア内で位置づけられる場合の展開（例えば、密度の高い都市展開）においては、これらのアクセスポイントのうちの２つ以上は、同じノード識別子を割り当てられることができる。例えば、マクロカバレッジエリア２０４Ａの中で、フェムトカバレッジエリア２０６Ａと２０６Ｄとは、同じ識別子を割り当てられることができる。そのような場合において、アクセス端末のサービングアクセスポイント(serving access point)の近くにある複数の隣接ノードが、同じノード識別子を公示するので、ノード識別子の混乱（例えば、ＰＣＩＤ混乱）が、起こる可能性がある。例えば、図１において、アクセスポイント１０６と１１０とは、それぞれのブロードキャストパイロット信号を経由して「識別子１」を公示するフェムトノードまたはピコノードを備えることができる。さらに、これらのアクセスポイントの両方は、アクセス端末１０２に現在サービスを提供しているアクセスポイント１０４（例えば、マクロアクセスポイント）の近くにある可能性がある。そのような場合には、アクセスポイント１０４は、両方のアクセスポイント１０６と１１０とについて知っている可能性があり、そしてそれ故に、「識別子１」によって識別されるアクセスポイントに対するハンドオーバーが、示されるときに、混乱が生じる可能性がある。
【００３１】
一般に、ここにおいて説明される混乱解決技法は、任意のタイプのノードに対して適用可能とすることができる。しかしながら、多数の展開においては、与えられたエリアにおけるマクロアクセスポイントは、マクロアクセスポイントに対するハンドオーバーに関連する混乱が存在しなくなるように計画されることになる。そのような場合には、ここにおいて教示される混乱解決技法は、ネットワークの中のどのような非マクロノード(non-macro nodes)に対しても適用可能とすることができる。そのような非マクロノードは、例えば、計画外の方法で展開されるノードを含むことができる。上記で指摘されるように、そのような非マクロノードは、フェムトノード（例えば、個人によって展開される）、ならびにオペレータ展開された低パワーピコノードを含むことができる。また、以下でより詳細に論じられるように、ノードは、ある方法において制限される（例えば、アクセスのために制限される）ことができる。それ故に、ここにおいて教示される混乱解決技法は、制限されたノード（例えば、閉ざされた加入者グループに関連するノード）に対して適用可能とすることができる。
【００３２】
上記の概説を考慮して、ここにおける教示に従って混乱を解決するために使用されることができる様々な技法は、図３〜１３を参照して説明されることになる。簡単に、図３は、アクセスポイントまたはアクセス端末の中で使用されることができるいくつかのコンポーネントを示しており、そして図４〜１３のフローチャートは、混乱を解決するための様々な技法に関連している。
【００３３】
図示するために、図４〜１３のオペレーション（あるいはここにおいて論じられ、または教示される他の任意のオペレーション）は、特定のコンポーネント（例えば、システム１００のコンポーネント、および／または図３に示されるコンポーネント）によって実行されるものとして説明されることができる。しかしながら、これらのオペレーションは、他のタイプのコンポーネントによって実行されることができ、そして異なる数のコンポーネントを使用して実行されることができることを理解すべきである。また、ここにおいて説明される１つまたは複数のオペレーションは、与えられたインプリメンテーションにおいて使用されなくてもよいことも理解すべきである。
【００３４】
図３は、ここにおいて教示されるような混乱解決オペレーションを実行するために、アクセス端末１０２やアクセスポイント１０４などのノードに組み込まれることができるいくつかの例のコンポーネントを示している。説明されるコンポーネントはまた、通信システムの中で他のノードに組み込まれることもできる。例えば、システムの中の他のノードは、類似した機能を提供するために、アクセス端末１０２とアクセスポイント１０４とのために説明されるこれらと類似したコンポーネントを含むことができる。与えられたノードは、１つまたは複数の説明されるコンポーネントを含むことができる。例えば、アクセス端末は、アクセス端末が、複数の周波数上で動作し、かつ／または異なる技術を経由して通信することを可能にする複数のトランシーバコンポーネントを含むことができる。
【００３５】
図３に示されるように、アクセス端末１０２とアクセスポイント１０４とは、他のノードと通信するために、それぞれトランシーバ３０２と３０４とを含むことができる。トランシーバ３０２は、信号（例えば、メッセージ）を送信するための送信機３０６と、（例えば、パイロット信号についてのサーチを行うことを含めて）信号を受信するための受信機３０８と、を含む。トランシーバ３０４は、信号を送信するための送信機３１０と、信号を受信するための受信機３１２と、を含む。
【００３６】
アクセス端末１０２と、アクセスポイント１０４とはまた、ここにおいて教示されるような混乱解決オペレーションに関連して使用されることができる他のコンポーネントを含むこともできる。例えば、アクセス端末１０２と、アクセスポイントとは、他のノードとの通信（例えば、メッセージ／インジケーションを送信すること、および受信すること）を管理するために、そしてここにおいて教示されるような他の関連した機能を提供するために、それぞれ通信コントローラ３１４と、３１６とを含むことができる。アクセス端末１０２および／またはアクセスポイント１０４は、混乱を検出するために、そしてここにおいて教示されるような他の関連した機能を提供するために、それぞれ混乱検出器３１８および３２０を含むことができる。アクセス端末１０２および／またはアクセスポイント１０４は、ノード識別子を管理する（例えば、選択する、捕捉する、要求するなどの）ために、そしてここにおいて教示されるような他の関連した機能を提供するために、それぞれ識別子コントローラ３２２および３２４を含むことができる。図３の他のコンポーネントの例のオペレーションが、以下で説明される。
【００３７】
便宜上、アクセスポイント１０２とアクセス端末１０４とは、図４〜１３に関連して以下で説明される様々な例の中で使用されることができるコンポーネントを含むものとして、図３の中で示されている。実際には、１つまたは複数の示されたコンポーネントは、与えられた例の中で使用されなくてもよい。一例として、いくつかのインプリメンテーションにおいては、アクセス端末１０２は、混乱検出器３１８を備えなくてもよく、そしてあるインプリメンテーションにおいては、アクセスポイント１０４は、混乱検出器３２０を含まなくてもよい。
【００３８】
次に図４および５を参照すると、いくつかの態様において、第１のタイプの識別子（例えば、ＰＮオフセット、ＰＣＩＤなど）に関連する混乱は、ハンドオーバーまたは他のオペレーションに関連して第２のタイプの識別子（例えば、ＡＮＩＤ、ＧＣＩなど）の使用を指定することにより解決されることができる。
【００３９】
このスキームは、例えば、マクロアクセスポイントに接続されたアクセス端末が、すぐ近くのフェムトノード（例えば、ホームフェムトノード）についてのサーチをアクティブにするときに、使用されることができる。アクセス端末が、フェムトノードからの信号を検出するときに、アクセス端末は、その信号から第１のタイプの識別子（例えば、パイロットＩＤ、セクタＩＤ、ＰＣＩＤなど）を得ることができる。受信信号強度が、閾値の値より上にあり、かつ／またはアクセス端末が、発見されたフェムトノードにアクセスするように認可される（例えば、アクセスポイントが、アクセス端末の好ましいローミングリストの中でリストアップされる）場合、アクセス端末は、このアクセスポイントをアクセス端末についてのアクティブセットに追加することができる。
【００４０】
マクロアクセスポイントからこのフェムトノードについてのルートオープンを行うべき(to do a route open)第１のアクセス端末は、マクロアクセスポイントにおいて第１のタイプの識別子から第２のタイプの識別子（例えば、ＡＮＩＤ、ＧＣＩなど）へのマッピングを確立することになる。ここで、アクセス端末から第２のタイプの識別子を受信するとすぐに、マクロアクセスポイントは、そのフェムトノードを用いて近隣の発見を開始することができる。
【００４１】
マクロカバレッジの中の第１のタイプの同じ識別子を有する後続のフェムトノードの存在は、第１のタイプの共通の識別子を使用する複数のアクセスポイントが存在することを決定する（すなわち、この識別子に関しての混乱を検出する）マクロアクセスポイントをもたらすことになる。ここで、マクロアクセスポイントは、例えば、近隣の発見から、あるいは混乱を発見しているアクセス端末からメッセージを受信することにより、これらの他のフェムトノードの存在を発見することができる。次いで、マクロアクセスポイントは、それが混乱を受けている識別子を含むメッセージ（例えば、ルートオープン(route open)）を受信するときはいつでも、常に第２のタイプの識別子を要求することができる。アクセス端末から第２のタイプの識別子を受信するとすぐに、マクロアクセスポイントは、そのフェムトノードを用いて近隣の発見を開始することができる。
【００４２】
さらに、いくつかのインプリメンテーションにおける最適化として、アクセス端末は、デフォルトにより、第２のタイプの識別子を有するメッセージを送信することができる。例えば、アクセス端末は、そのホームフェムトノードについてのルートオープンまたは他のメッセージを送信するときに、常に第２のタイプの識別子を使用することができる。
【００４３】
最初に図４を参照すると、ブロック４０２によって表されるように、アクセスポイント（例えば、アクセスポイント１０４）は、アクセス端末からメッセージを受信し、ここで、そのメッセージは、第１のノード識別子によって識別されるノード（例えば、アクセスポイント１１０などのターゲットノード）に方向づけられる。例えば、上記で論じられるように、アクセス端末は、ＰＮオフセットを含むルートオープン要求、または何らかの他のタイプの識別子を含む何らかの他のタイプのメッセージを受信することができる。そのようなメッセージは、様々な形態を取ることができることを理解すべきである。例えば、様々なインプリメンテーションにおいては、メッセージは、ハンドオーバーのためのリソースをセットアップするメッセージ、ハンドオーバー要求、アクティブセット追加要求(active set add request)、干渉管理信号、信号強度測定報告、または少なくとも１つのリソースを予約するためのメッセージを備えることができる。
【００４４】
ブロック４０４によって表されるように、アクセスポイントは、別のノードが、第１のノード識別子によって識別されるかどうかを決定する。アクセスポイントは、様々なやり方で、そのような混乱を検出することができる。例えば、上記に論じられるように、アクセスポイントは、隣接ノードによって使用される識別子を示す、１つまたは複数のアクセス端末からのメッセージを受信することができる。いくつかの場合において、アクセスポイントは、近隣の発見を行い、そして２つ以上の隣接ノードが、同一の識別子を使用していることを決定することができる。いくつかの場合において、アクセスポイントは、どの識別子が、アクセスポイントの近隣によって使用されているかを示すコンフィギュレーション情報を（例えば、図１の中のノード１１２によって表されるようなコンフィギュレーションマネージャから）受信することができる。いくつかの場合において、ブロック４０４のオペレーションは、識別子が、アクセスポイントによって保持されるリストの識別子であるかどうかを決定することを備えることができる。ここにおいて論じられるように、このリストの識別子は、例えば、混乱フリー(confusion free)であるように保証されていない識別子、混乱を受ける可能性がある識別子、あるいは混乱を受けることが決定されている識別子、を備えることができる。いくつかの態様においては、そのリストの識別子は、ある範囲の識別子の値を備えることができる。
【００４５】
ブロック４０６と４０８とによって表されるように、混乱が検出されない場合、アクセスポイントは、第１のノード識別子に基づいて適切なオペレーション（例えば、ハンドオーバーオペレーション）を実行することができる。
【００４６】
ブロック４１０によって表されるように、混乱が検出される場合、アクセスポイントは、アクセス端末が、ノードとの通信を確立するために第２のノード識別子（例えば、ＡＮＩＤ）を使用すべきであることを指定するメッセージをアクセス端末に対して送信する。そのようなメッセージは、様々な形態を取ることができる。例えば、メッセージは、アクセス端末に異なる識別子を使用するように指示する拒絶メッセージ(rejection message)（例えば、ルートオープン拒絶(route open reject)）を備えることができる。
【００４７】
ブロック４１２によって表されるように、アクセスポイントは、次いで、第２のノード識別子を含むメッセージをアクセス端末から受信することができる。アクセスポイントは、第２のノード識別子に基づいて適切なオペレーション（例えば、ハンドオーバーオペレーション）を実行することができる。いくつかのインプリメンテーションにおいては、これは、第２のノード識別子を含むメッセージをターゲットノードに対してトンネルすること(tunneling)を必要とする可能性がある。
【００４８】
いくつかの態様において、図４のオペレーションは、ハンドオーバーオペレーションのために（例えば、アクティブセット追加オペレーション(active set add operation)に関連して）バックホール(backhaul)上でリソースを予約することに関連している。さらに、混乱を受けているノードが、いくつかの態様において制限される（例えば、以下に論じられるように、関連づけのために、または何らかの他のやり方で、制限される）可能性があるので、これらのオペレーションもまた、限られたノードのためにリソースを予約することに関連している可能性がある。
【００４９】
図５は、いくつかの態様において、ノードとの通信を確立するために混乱させない識別子の使用を指定することに関連している。いくつかの態様においては、これらのオペレーションは、図４のオペレーションのうちのいくつかと相補的であるようにすることができる。
【００５０】
ブロック５０２によって表されるように、アクセス端末（例えば、アクセス端末１０２）は、第１のノード識別子によって識別されるターゲットノードに対してメッセージを送信することを選ぶ。ブロック４０２において上記に述べられるように、このメッセージは、関連するアクセスポイント（例えば、アクセスポイント１０４）を経由して送信されることができる。
【００５１】
ブロック５０４によって表されるように、アクセス端末は、別のノードが、第１のノード識別子によって識別されることができるかどうかを決定する。この決定は、様々なやり方で行われることができる。上記で論じられるように、アクセス端末は、第１のノード識別子を使用してアクセスポイント１０４に対してメッセージを送信しており、そして混乱があることを示す（そして第２のノード識別子の使用を指定する）メッセージをアクセスポイント１０４から受信している可能性がある。いくつかの場合において、この決定は、ターゲットノードと通信しようと試みることと、通信が認可されていないことを示すメッセージをターゲットノードから受信することと、を必要とする可能性がある。アクセス端末についてのコンテキスト(context)が、ノード識別子の混乱に起因して意図されたターゲットノード以外のノードに対して送信されたので、そのような拒絶メッセージが、受信される可能性がある。また、アクセス端末は、それが、これらのアクセスポイントによって使用される識別子を示す隣接するアクセスポイントから受信する信号に基づいて混乱を識別することもできる。
【００５２】
ブロック５０６および５０８によって表されるように、混乱が検出されない場合、アクセス端末は、ターゲットノードとの通信を確立するために第１のノード識別子を使用することができる。
【００５３】
ブロック５１０によって表されるように、混乱が検出される場合、アクセス端末は、ターゲットノードとの通信を確立するために第２のノード識別子を使用することができる。
【００５４】
さらに、ブロック５１２によって表されるように、アクセス端末は、ターゲットノードとの通信を確立するために第２のノード識別子を使用するように構成されていることができる。例えば、アクセス端末は、アクセス端末が混乱を検出した後にこのようにして構成されることができる。代わりに、ここにおいて論じられるように、アクセス端末は、デフォルトによって第２のノード識別子を送信することができる。
【００５５】
図６は、いくつかの態様において、混乱解決を簡単にするために非マクロノードについてのノード識別子空間（例えば、ＰＣＩＤ空間）のサブセットを予約することに関連している。このようにして、そのサブセットから識別子を受信するノードは、混乱の可能性があり、または可能性が高いことを簡単に決定することができる。いくつかのインプリメンテーションにおいては、サブセットは、混乱フリー(confusion-free)ではないとして指定されるアクセスポイントに関連づけられる１組の指定値を備える。いくつかのインプリメンテーションにおいては、サブセットは、（例えば、以下で論じられるような）閉ざされた加入者グループに関連づけられる１組の指定値を備える。いくつかのインプリメンテーションにおいては、サブセットは、少なくとも１つの指定タイプ（例えば、ノードタイプ）のアクセスポイントに関連づけられる１組の指定値を備える。そのような指定タイプは、例えば、送信パワー、カバレッジエリア、または中継能力のうちの１つまたは複数に関連していることができる。
【００５６】
ブロック６０２によって表されるように、アクセス端末（例えば、アクセス端末１０２）は、ノード識別子のリストを受信する。このリストは、例えば、上記で論じられるノード識別子のサブセットを備えることができる。いくつかのインプリメンテーションにおいては、このリストは、リストを公示するサービングアクセスポイント（例えば、アクセスポイント１０４）から受信されることができる。いくつかのインプリメンテーションにおいては、ターゲットアクセスポイントまたは何らかの他のアクセスポイント（例えば、近隣のリスト情報を経由した）は、ターゲットアクセスポイントにアクセスするときに、第２のタイプの識別子（例えば、ＧＣＩ）が、使用されるべきであることを示すインジケーションを公示することができる。いくつかのインプリメンテーションにおいては、このリストは、リストからの識別子を割り当てられるノードの予約された組を追跡するコンフィギュレーションマネージャ（例えば、ネットワークノード１１２）から受信されることができる。
【００５７】
ブロック６０４によって表されるように、アクセス端末は、ターゲットアクセスポイントと通信するための第１の識別子を決定する。例えば、ここにおいて論じられるように、そのような識別子は、パイロット信号または何らかの他の適切な信号を経由して受信されることができる。
【００５８】
ブロック６０６によって表されるように、アクセス端末は、アクセスポイントとの通信を確立するための第２の識別子（例えば、ＧＣＩ）を使用すべきかどうかを（例えば、自律的に）決定することができる。いくつかの態様においては、この決定は、（例えば、第１の識別子のタイプを決定することにより）第１の識別子に基づいたものとすることができる。例えば、ブロック６０４で得られる識別子が、ブロック６０２で得られるリスト上にある場合、アクセス端末は、第２の識別子を捕捉することができる。ここで、第２の識別子を捕捉することは、第２の識別子を含む（ターゲットアクセスポイントからの）他の信号について監視することを備えることができる。一例として、ターゲットアクセスポイントは、ターゲットアクセスポイントが第１の識別子をブロードキャストする間隔よりも頻繁でない間隔で第２の識別子をブロードキャストすることができる。
【００５９】
ブロック６０８によって表されるように、アクセス端末は、ターゲットアクセスポイントとの通信を確立するために第２の識別子を備えるメッセージを送信することができる。このメッセージは、様々なシナリオにおいて様々な形態を取ることができる。例えば、メッセージは、信号強度測定メッセージ、無線リソース報告、またはハンドオーバー要求を備えることができる。典型的なインプリメンテーションにおいては、アクセス端末（例えば、アクセス端末１０２）は、アクセス端末が、そのサービングアクセスポイント（例えば、アクセスポイント１０４）に対して送信する測定報告の中に関連するＰＣＩＤ値とＧＣＩ値とを含む。さらに、図７に関連して以下で説明されるように、ある種の状況の下で、アクセス端末は、この情報をターゲットアクセスポイントへと送信することができる。
【００６０】
ブロック６１０によって表されるように、この情報の受信のすぐ後に、サービングアクセスポイントは、ＧＣＩ値を使用してハンドオーバープロシージャを開始することができる。したがって、サービングアクセスポイントは、ターゲットセルにおいてリソースをセットアップし、そしてハンドオーバーコマンドをアクセス端末に対して送信することになる。
【００６１】
図７は、いくつかの態様において、ターゲットアクセスポイントに対して提供されるべき識別子を選択することに関連しており、ここでその識別子は、ソースアクセスポイントに関連づけられる。例えば、アクセス端末が、事前のハンドオーバーの準備なしに直接にターゲットアクセスポイントにアクセスする場合に、アクセス端末は、ソースアクセスポイントのＧＣＩを使用することができる。この場合に、アクセス端末は、ターゲットアクセスポイントにアクセスしながら、ソースアクセスポイントのＧＣＩを含むことができる。これにより、ターゲットアクセスポイントは、ソースアクセスポイントの識別情報についてのどのような混乱も解決することができるようになる。次いで、ターゲットアクセスポイントは、適切なソースアクセスポイントからアクセス端末についてのコンテキストをフェッチし、そしてハンドオーバーを完了することができる。これらのオペレーションは、図７のブロック７０２〜７０６の中で説明される。
【００６２】
ブロック７０２によって表されるように、アクセス端末は、ターゲットアクセスポイント（例えば、アクセスポイント１１０）に関連する１組の識別子（例えば、ＰＣＩＤなど第１の識別子と、ＧＣＩなど第２の識別子と）のうちの識別子（例えば、ＧＣＩ）を選択する。いくつかの態様においては、第２の識別子の選択は、図６に関連して上記に論じられるのと同様にして、第１の識別子が、識別子の受信リスト（例えば、混乱フリーではないとして指定された、アクセスポイントのノードタイプに基づいたなど）の中にあるかどうかに基づいたものとすることができる。上記で述べられるように、いくつかの態様においては、第２の識別子の選択は、ソースアクセスポイント（例えば、アクセスポイント１０４）との通信の喪失に基づいたものとすることができる。
【００６３】
ブロック７０４によって表されるように、アクセス端末は、ターゲットアクセスポイントとの通信を確立するときに、選択された識別子をターゲットアクセスポイントに対して送信する。例えば、アクセス端末は、接続要求メッセージの中にソースアクセスポイントのＧＣＩを含むことができる。
【００６４】
ブロック７０６によって表されるように、次いで、ソースアクセスポイントは、ソースアクセスポイントとの通信を確立し、かつ／またはソースアクセスポイントからコンフィギュレーション情報を得るために、選択された識別子を使用することができる。このようにして、ソースアクセスポイントは、ハンドオーバーを完了するためにアクセス端末についてのコンテキスト情報を得ることができる。
【００６５】
図８は、いくつかの態様において、アクセスポイントおよび／またはアクセス端末が、ノード識別子の混乱を検出すること、および解決することに関連して実行することができるオペレーションに関連している。いくつかの態様においては、これらのオペレーションは、図５に関連して上記に説明されるオペレーションに対して相補的である。
【００６６】
ブロック８０２によって表されるように、アクセスポイント（例えば、アクセスポイント１０４）は、複数のノードが、同じ識別子を使用するかどうかを決定し、ここで識別子は、第１のタイプ（例えば、ＰＣＩＤ）である。上記で述べられるように、アクセスポイントは、測定報告、近隣の発見、および受信メッセージに基づいてそのような混乱を検出することができる。
【００６７】
ブロック８０４および８０６によって表されるように、混乱が検出されない場合、アクセスポイントは、通常のオペレーションを継続することができる。例えば、アクセスポイントは、測定報告を経由して受信される第１のタイプの識別子に基づいてハンドオーバーを実行すべきかどうかを決定することができる。
【００６８】
ブロック８０８によって表されるように、混乱が検出される場合、アクセスポイントは、混乱を受ける第１のタイプの識別子に関連する第２のタイプの識別子を得る要求を発行することができる。例えば、混乱を受けるＰＣＩＤが、アクセス端末（例えば、アクセス端末１０２）から測定報告を経由して受信された場合、アクセスポイントは、ＰＣＩＤに関連するＧＣＩを捕捉する要求をアクセス端末に対して送信することができる。次いで、アクセス端末は、例えば、ここにおいて論じられるように、ＧＣＩを捕捉することができる。
【００６９】
ブロック８１０によって表されるように、アクセスポイントは、次いで、ＧＣＩを含む応答をアクセス端末から受信することができる。混乱は、今や（例えば、アクセスポイントにおいて）解決されることになるので、ブロック８１２において、ハンドオーバーオペレーションは、受信されたＧＣＩを使用して（例えば、アクセスポイントによって）開始されることができる。
【００７０】
図９Ａおよび９Ｂは、いくつかの態様において、固有の識別子（例えば、ＧＣＩ）の捕捉をトリガするための閾値の使用に関連している。いくつかの場合においては、アクセス端末は、いつ固有の識別子を捕捉すべきかを自律的に、すなわち、別のノード（例えば、アクセスポイント）によってそうするように指示されずに、決定することができる。
【００７１】
ブロック９０２によって表されるように、アクセス端末は、定義された１組の第１のタイプの識別子（例えば、上記で説明されるノード識別子のリスト）を受信することができる。いくつかのインプリメンテーションにおいては、この情報は、サービングアクセスポイント（例えば、識別子コントローラ３２４）または何らかの他のノードによって定義され、かつ／またはそれによって提供されることができる。例えば、サービングアクセスポイントは、混乱を受け、または受ける可能性があるＰＣＩＤ識別子のすべてを識別し、そしてこれらの識別子のリストをアクセス端末に対して供給することができる。
【００７２】
ブロック９０４によって表されるように、アクセス端末はまた、定義された１組の識別子に関連する閾値を受信することもできる。例えば、この閾値は、アクセス端末によるＧＣＩ捕捉をトリガする受信信号についての閾値信号強度値を指定することができる。いくつかのインプリメンテーションにおいては、この閾値は、サービングアクセスポイント（例えば、閾値コントローラ３３４）または何らかの他のノードによって定義され、かつ／またはそれによって提供されることができる。例えば、この閾値は、ハンドオーバーオペレーションをトリガする受信信号強度閾値よりも（例えば、数ｄＢだけ）低くなるように定義されることができる。いくつかのインプリメンテーションにおいては、閾値は、ターゲットアクセスポイント信号強度からの相対オフセットとして、あるいはターゲットアクセスポイントからのキャリア対干渉（「Ｃ／Ｉ」）値についての絶対閾値として、指定されることができる。
【００７３】
ブロック９０６によって表されるように、ある時点において、アクセス端末は、第１のタイプの識別子に関連する信号を受信することになる。ブロック９０８によって表されるように、アクセス端末（例えば、コンパレータ３３０）は、受信された識別子が、識別子のリストの中にあるかどうかを決定することができる。さらに、アクセス端末（例えば、受信機３０８の中にインプリメントされ、または受信機３０８と協力して動作することができる信号プロセッサ３３２）は、ブロック９０６によって受信される信号の受信信号強度が、閾値以上であるかどうかを決定する。
【００７４】
ブロック９１０および９１２によって表されるように、ブロック９０８の判断基準が、満たされない場合、アクセス端末は、隣接するアクセスポイントからの信号について監視することを継続することができる。
【００７５】
ブロック９１４によって表されるように、ブロック９０８の判断基準が、満たされる場合、アクセス端末は、ブロック９０６において受信される識別子に関連する第２のタイプの識別子（例えば、ＧＣＩ）を捕捉する。上記で論じられるように、これは、特定の周期性を有するブロードキャスト信号について監視することを必要とする可能性がある。
【００７６】
ブロック９１６によって表されるように、アクセス端末（例えば、報告ジェネレータ３２８）は、ブロック９０６および９１０において捕捉される識別子と、関連する信号（例えば、ブロック９０６において受信される信号）の受信信号強度と、を含むメッセージをアクセスポイントに対して送信する。このメッセージは、固有の識別子が、ブロック９１０において捕捉された直後に、あるいは何らかの他の時刻に、送信されることができる。いくつかのインプリメンテーションにおいては、この情報は、測定報告の中で送信される。例えば、この報告は、ひとたび（例えば、ターゲットアクセスポイントからの）受信信号の受信信号強度が、ハンドオーバー閾値を超過した後に、送信されることができる。
【００７７】
ブロック９１８によって表されるように、どのような混乱も、今や解決されることになるので、アクセスポイント（例えば、ハンドオーバーコントローラ３２６）は、このメッセージの中で提供される識別子と受信信号強度とに基づいてハンドオーバーオペレーションを開始すべきかどうかを決定する。ここにおいて論じられるように、ハンドオーバーオペレーションが示される場合、アクセスポイントは、ターゲットアクセスポイントを準備するために固有の識別子を使用し、そしてハンドオーバーコマンドをアクセス端末に対して送信することになる。
【００７８】
いくつかの態様においては、図９のスキームは、高移動性環境(high mobility environment)において有利であることを立証することができる。例えば、ＧＣＩは、ターゲットアクセスポイントの信号強度が、必要とされるべきハンドオーバーのために十分に強くなる前に、読み取られることができるので、このスキームは、より高速のハンドオーバーを提供することができる。
【００７９】
図１０Ａおよび１０Ｂは、いくつかの態様において、アクセス端末が、閾値（例えば、ＧＣＩ閾値）を超過する信号の受信をアクセスポイントに対して報告するというスキームに関連している。この場合においては、アクセスポイントは、混乱の可能性があるかどうかを決定し、そしてもしそうである場合には、アクセス端末に固有の識別子（例えば、ＧＣＩ）を捕捉するように指示することができる。ここで、ブロック１００２〜１０１２のオペレーションは、それぞれブロック９０２〜９１２のオペレーションに類似したものとすることができる。
【００８０】
ブロック１０１４においては、しかしながら、判断基準がブロック１０１０において満たされる場合、アクセス端末は、ブロック１００６において捕捉される識別子と、関連する信号の受信信号強度とを含むメッセージをアクセスポイントに対して送信する。このメッセージは、識別子がブロック１００６において捕捉された直後に、あるいは何らかの他の時刻に送信されることができる。いくつかのインプリメンテーションにおいては、この情報は、測定報告の中で送信される。
【００８１】
ブロック１０１６によって表されるように、アクセスポイントは、受信情報に基づいて混乱が起こり得るかどうかを決定する。例えば、この決定は、複数のノードが同じ識別子を使用するかどうかに基づいたものとすることができる。さらに、この決定は、オプショナルに、この識別子を含む任意の検出された信号の受信信号強度に基づいたものとすることができる。
【００８２】
ブロック１０１８および１０２０によって表されるように、混乱が検出されない場合、アクセスポイントは、通常のオペレーションを継続することができる。例えば、アクセスポイントは、測定報告を経由して受信される第１のタイプの識別子に基づいてハンドオーバーを実行すべきかどうかを決定することができる。
【００８３】
ブロック１０２２によって表されるように、混乱が検出される場合、アクセスポイントは、アクセス端末に混乱を受ける識別子に関連する固有の識別子（例えば、ＣＧＩ）を捕捉するように要求しているメッセージをアクセス端末に対して送信する。ブロック１０２４によって表されるように、次いで、アクセス端末は、ここにおいて論じられるように識別子を捕捉し、そして識別子をアクセスポイントに対して（例えば、測定報告を経由して）送信することができる。
【００８４】
ブロック１０２６および１０２８によって表されるように、アクセスポイントは、それによって混乱を解決し、そして固有の識別子と受信信号強度とに基づいて（例えば、ここにおいて論じられるように）ハンドオーバーを開始すべきかどうかを決定する。
【００８５】
図１１は、いくつかの態様において、アクセス端末による衝突検出（例えば、自律的検出）に関連している。特に、このスキームは、衝突情報を有する測定報告を提供するアクセス端末に関連している。
【００８６】
ブロック１１０２によって表されるように、アクセス端末は、第１のタイプの与えられた識別子についての衝突を検出する。例えば、監視されたパイロット信号、または他の適切な信号に基づいて、アクセス端末は、複数のアクセスポイントが、ここにおいて論じられるように同じＰＣＩＤを使用することを決定することができる。
【００８７】
ブロック１１０４によって表されるように、アクセス端末は、衝突が示されている識別子に関連する第２のタイプの識別子（例えば、ＧＣＩ）をオプショナルに捕捉することができる。この場合もやはり、このオペレーションは、上記に論じられるように実行されることができる。
【００８８】
ブロック１１０６によって表されるように、アクセス端末は、衝突が示されている識別子についての複数の入力を含む測定報告を送信する。例えば、２つのアクセス端末が、１２というＰＣＩＤ値を使用する場合、測定報告は、１２というＰＣＩＤ値に対応する２つの別々の入力を含むことができる。さらに、測定報告は、これらの入力の各々に関連する固有の識別子（例えば、ＧＣＩ）をオプショナルに含むことができる。
【００８９】
図１２は、いくつかの態様において、アクセス端末による自律的な衝突検出に関連している。特に、このスキームは、アクセス端末が衝突を検出する場合に、測定報告を送信するアクセス端末に関連している。
【００９０】
ブロック１２０２によって表されるように、アクセス端末は、第１のタイプの与えられた識別子について衝突を検出する。上記のように、アクセス端末は、ここにおいて論じられるように、複数のアクセスポイントが、監視されたパイロット信号、または他の適切な信号に基づいて同じＰＣＩＤを使用することを決定することができる。
【００９１】
いくつかの態様においては、衝突の検出は、少なくとも２つのノードが、現在この同じ識別子を使用しているか、あるいは最近同じ識別子を使用しているかに基づいて示されることができる。例えば、衝突は、アクセス端末が、同じＰＣＩＤを使用する複数のアクセスポイントから現在、同期信号またはパイロット信号を受信している場合に、示されることができる。さらに、衝突は、アクセス端末が、定義された期間（例えば、最後の１０秒）内に複数のアクセスポイントから同期信号またはパイロット信号を受信した場合に、示されることができる。ある条件下で、この期間は、ゼロに（例えば、非常に高速に移動するアクセス端末について）設定されることができる。また、衝突は、アクセス端末が、定義された数のハンドオーバー（例えば、最後の４つのハンドオーバー）に関連する期間上で複数のアクセスポイントから同期信号またはパイロット信号を受信した場合に、示されることができる。この後者のスキームにより、有利に、ゆっくり移動するアクセスポイントが送信した報告は、望ましい地理的エリアをカバーすることができるようになる可能性がある。言い換えれば、このスキームは、より広い地理的エリア上で、反復するノード識別子の検出を可能にする。
【００９２】
ブロック１２０４によって表されるように、アクセス端末は、衝突が示されている識別子に関連する第２のタイプの識別子（例えば、ＧＣＩ）をオプショナルに捕捉することができる。この場合もやはり、このオペレーションは、上記に論じられるように実行されることができる。
【００９３】
ブロック１２０６によって表されるように、アクセス端末は、衝突が、ブロック１２０２において検出された場合に、測定報告を送信する。さらに、測定報告は、これらの入力の各々に関連する固有の識別子（例えば、ＧＣＩ）をオプショナルに含むことができる。
【００９４】
図１３は、いくつかの態様において、要求のすぐ後に衝突報告を提供するアクセス端末に関連している。ブロック１３０２によって表されるように、アクセス端末は、衝突報告についての要求を受信する。例えば、ネットワークは、アクセス端末に、衝突情報を有する測定報告を送信するように定期的に要求することができる。この要求は、衝突情報が要求される１つまたは複数の識別子（例えば、ＰＣＩＤ）を指定することができる。この識別子は、要求ノード（例えば、サービングアクセスポイント）の識別子とすることができる。代わりに、この要求は、ワイルドカード識別子(wildcard identifier)を含むことができ、ここで、アクセス端末は、すべての検出された衝突を報告するように要求される。ブロック１３０４によって表されるように、アクセス端末は、隣接するアクセスポイントからの信号を監視し、そして適用可能な場合に衝突を検出する（ブロック１３０６）。ブロック１３０８によって表されるように、アクセス端末は、衝突が、ブロック１３０６において検出された場合に、衝突報告を送信する。アクセス端末が、どのような衝突情報も有さない場合には、アクセス端末は、「ノーイベント(no event)」メッセージで応答することができ、あるいはどのような応答も提供しなくてもよい。図１１〜１３の１つまたは複数のオペレーションは、異なるインプリメンテーションにおいては様々なやり方で組み合わされることができることを理解すべきである。
【００９５】
上記で述べられるように、ここにおける教示は、マクロアクセスポイントとフェムトノードとを使用するネットワークの中でインプリメントされることができる。図１４および１５は、どのようにしてアクセスポイントが、そのようなネットワークの中で展開されることができるかの例を示している。図１４は、簡略化された方法で、どのようにしてワイヤレス通信システム１４００のセル１４０２（例えば、マクロセル１４０２Ａ〜１４０２Ｇ）が、対応するアクセスポイント１４０４（例えば、アクセスポイント１４０４Ａ〜１４０４Ｇ）によってサービスされることができるかを示している。ここで、マクロセル１４０２は、図２のマクロカバレッジエリア２０４に対応することができる。図１４に示されるように、アクセス端末１４０６（例えば、アクセス端末１４０６Ａ〜１４０６Ｌ）は、長い間にシステム全体を通して様々なロケーションに分散されることができる。各アクセス端末１４０６は、例えば、アクセス端末１４０６がアクティブであるかどうかと、それがソフトハンドオーバーの中にあるかどうかとに応じて、与えられた瞬間に順方向リンク(forward link)（「ＦＬ」）および／または逆方向リンク(reverse link)（「ＲＬ」）上で１つまたは複数のアクセスポイント１４０４と通信することができる。このセルラスキームの使用を通して、ワイヤレス通信システム１４００は、大きな地理的領域上でサービスを提供することができる。例えば、マクロセル１４０２Ａ〜１４０２Ｇの各々は、近隣の数ブロック、または農村環境における数平方マイルをカバーすることができる。
【００９６】
図１５は、どのようにして１つまたは複数のフェムトノードが、ネットワーク環境（例えば、システム１４００）内で展開されることができるかの一例を示している。図１５のシステム１５００において、複数のフェムトノード１５１０（例えば、フェムトノード１５１０Ａおよび１５１０Ｂ）は、比較的小面積のカバレッジネットワーク環境の中で（例えば、１つまたは複数のユーザ住居１５３０の中で）インストールされる。各フェムトノード１５１０は、ＤＳＬルータ、ケーブルモデム、ワイヤレスリンク、または他の接続手段（図示されず）を経由して、ワイドエリアネットワーク１５４０（例えば、インターネット）と、モバイルオペレータコアネットワーク１５５０とに結合されることができる。
【００９７】
フェムトノード１５１０の所有者は、モバイルオペレータコアネットワーク１５５０を通して提供される、例えば、３Ｇモバイルサービスなどのモバイルサービスに加入することができる。さらに、アクセス端末１５２０は、マクロ環境と、より小さな面積カバレッジの（例えば、住居の）ネットワーク環境との両方の中で動作することができる可能性がある。言い換えれば、アクセス端末１５２０の現在のロケーションに応じて、アクセス端末１５２０は、モバイルオペレータコアネットワーク１５５０に関連するマクロセルアクセスポイント１５６０により、あるいは１組のフェムトノード１５１０（例えば、対応するユーザ住居１５３０内に存在するフェムトノード１５１０Ａと１５１０Ｂと）のうちのどれか１つにより、サービスを提供されることができる。例えば、加入者が、彼の家の外にいるときに、加入者は、標準のマクロアクセスポイント（例えば、アクセスポイント１５６０）によってサービスを提供されることができ、そして加入者が、彼の家の近く、または彼の家の内部にいるときには、加入者は、フェムトノード（例えば、ノード１５１０Ａ）によってサービスを提供されることができる。ここで、フェムトノード１５１０は、レガシーアクセス端末(legacy access terminals)１５２０と後方互換性がある(backward compatible)ことができる。
【００９８】
フェムトノード１５１０は、単一周波数上で、あるいは代替案においては、多周波数上で展開されることができる。特定のコンフィギュレーションに応じて、単一周波数、あるいは１つまたは複数の多周波数は、マクロアクセスポイント（例えば、アクセスポイント１５６０）によって使用される１つまたは複数の周波数とオーバーラップすることができる。
【００９９】
いくつかの態様においては、アクセス端末１５２０は、そのような接続が可能なときはいつでも、好ましいフェムトノード（例えば、アクセス端末１５２０のホームフェムトノード）に接続するように構成されていることができる。例えば、アクセス端末１５２０Ａが、ユーザの住居１５３０内にあるときはいつでも、アクセス端末１５２０Ａは、ホームフェムトノード１５１０Ａまたは１５１０Ｂとだけ通信することが望ましい可能性がある。
【０１００】
いくつかの態様においては、アクセス端末１５２０が、マクロセルラネットワーク１５５０内で動作するが、その最も好ましいネットワーク上に（例えば、好ましいローミングリストにおいて定義されるように）存在していない場合、アクセス端末１５２０は、ベターシステムリセレクション(Better System Reselection)（「ＢＳＲ」）を使用して最も好ましいネットワーク（例えば、好ましいフェムトノード１５１０）をサーチし続けることができ、このベターシステムリセレクションは、よりよいシステムが現在使用可能であるかどうかを決定する、使用可能なシステムの定期的なスキャニングと、そのような好ましいシステムに関連づける後続の努力とを必要とする可能性がある。捕捉入力を用いて、アクセス端末１５２０は、特定の帯域とチャネルとについてサーチを制限することができる。例えば、最も好ましいシステムについてのサーチは、定期的に反復されることができる。好ましいフェムトノード１５１０の発見のすぐ後に、アクセス端末１５２０は、そのカバレッジエリア内で留まる(camping)ためにフェムトノード１５１０を選択する。
【０１０１】
フェムトノードは、いくつかの態様において制限される可能性がある。例えば、与えられたフェムトノードは、あるアクセス端末に対して、あるサービスを提供することだけができる。いわゆる制限された（あるいは閉ざされた）関連付けを有する展開においては、与えられたアクセス端末は、マクロセルモバイルネットワークと、定義された１組のフェムトノード（例えば、対応するユーザ住居１５３０内に存在するフェムトノード１５１０）とによってサービスを提供されるだけとすることができる。いくつかのインプリメンテーションにおいては、ノードは、少なくとも１つのノードについて、信号方式、データアクセス、登録、ページング、またはサービスのうちの少なくとも１つを提供しないように、制限される可能性がある。
【０１０２】
いくつかの態様においては、制限されたフェムトノード（これは、閉ざされた加入者グループホームＮｏｄｅＢ(Closed Subscriber Group Home NodeB)とも称される）は、制限され用意された１組のアクセス端末に対してサービスを提供するノードである。この組は、必要に応じて、一時的に、あるいは恒久的に拡張されることができる。いくつかの態様においては、閉ざされた加入者グループ(Closed Subscriber Group)（「ＣＳＧ」）は、アクセス端末の共通アクセス制御リストを共用するアクセスポイント（例えば、フェムトノード）の組として定義されることができる。ある領域におけるすべてのフェムトノード（またはすべての制限されたフェムトノード）が動作するチャネルは、フェムトチャネルと称されることができる。
【０１０３】
様々な関係は、それ故に、与えられたフェムトノードと、与えられたアクセス端末との間に存在することができる。例えば、アクセス端末の観点から、オープンフェムトノード(open femto node)は、制限された関連付けを有さないフェムトノードを意味することができる（例えば、フェムトノードは、任意のアクセス端末に対するアクセスを可能にする）。制限されたフェムトノードは、何らかの方法で制限される（例えば、関連付けおよび／または登録について制限される）フェムトノードを意味することができる。ホームフェムトノード(home femto node)は、アクセス端末が、アクセスし、そして動作することを認可される（例えば、恒久的アクセスが、定義された１組の１つまたは複数のアクセス端末のために提供される）フェムトノードを意味することができる。ゲストフェムトノード(guest femto node)は、アクセス端末が、アクセスし、または動作することを一時的に認可されるフェムトノードを意味することができる。エイリアンフェムトノード(alien femto node)は、アクセス端末が、おそらく緊急事態状況（例えば、９１１呼出し）を除いて、アクセスし、または動作することを認可されないフェムトノードを意味することができる。
【０１０４】
制限されたフェムトノードの観点から、ホームアクセス端末は、制限されたフェムトノードにアクセスすることを認可されるアクセス端末（例えば、アクセス端末は、フェムトノードに対する恒久的アクセスを有する）を意味することができる。ゲストアクセス端末は、制限されたフェムトノード（例えば、最終期限、使用時間、バイト、接続カウント、または何らかの他の判断基準（単数または複数）に基づいて制限された）に対する一時的アクセスを有するアクセス端末を意味することができる。エイリアンアクセス端末は、おそらく、例えば、９１１呼出しなどの緊急事態状況を除いて、制限されたフェムトノードにアクセスする許可を有さないアクセス端末（例えば、制限されたフェムトノードに登録する証明書(credentials)または許可を有さないアクセス端末）を意味することができる。
【０１０５】
便宜上、ここにおける開示は、フェムトノードとの関連で様々な機能を説明している。しかしながら、ピコノードは、より大きなカバレッジエリアについても同じ、または類似した機能を提供することができることを理解すべきである。例えば、ピコノードは、制限されることができ、ホームピコノードは、与えられたアクセス端末について定義されることができ、その他いろいろである。
【０１０６】
ここにおける教示は、様々なタイプの通信デバイスの中でインプリメントされることができる。いくつかの態様においては、ここにおける教示は、複数のワイヤレスアクセス端末についての通信を同時にサポートすることができる多元接続通信システムの中で展開されることができるワイヤレスデバイスの中でインプリメントされることができる。ここで、各端末は、順方向リンクおよび逆方向リンクの上の送信を経由して１つまたは複数のアクセスポイントと通信することができる。順方向リンク（またはダウンリンク）は、アクセスポイントから端末への通信リンクを意味し、そして逆方向リンク（またはアップリンク）は、端末からアクセスポイントへの通信リンクを意味する。この通信リンクは、単一入力単一出力システム、多入力多出力（「ＭＩＭＯ」）システム、または何らかの他のタイプのシステムを経由して確立されることができる。
【０１０７】
図示するために、図１６は、ＭＩＭＯベースのシステム８００との関連でワイヤレスデバイスの中で使用されることができる例の通信コンポーネントを説明している。システム１６００は、データ送信のために複数の（ＮＴ個の）送信アンテナと、複数の（ＮＲ個の）受信アンテナと、を使用する。ＮＴ個の送信アンテナと、ＮＲ個の受信アンテナとによって形成されるＭＩＭＯチャネルは、ＮＳ個の独立チャネルへと分解されることができ、これらの独立チャネルは、空間チャネルとも呼ばれ、ここで、ＮＳ≦ｍｉｎ｛ＮＴ，ＮＲ｝である。ＮＳ個の独立チャネルの各々は、次元(dimension)に対応する。複数の送信アンテナと、受信アンテナとによって作り出される(created)追加の次元(dimensionalities)が、利用される場合、ＭＩＭＯシステムは、改善された性能（例えば、より高いスループットおよび／またはより高い信頼性）を提供することができる。
【０１０８】
システム１６００は、時分割複信（「ＴＤＤ」）と、周波数分割複信（「ＦＤＤ」）と、をサポートすることができる。ＴＤＤシステムにおいては、順方向リンク送信と、逆方向リンク送信とは、同じ周波数領域上にあり、その結果、その相互主義(reciprocity principle)は、逆方向リンクチャネルからの順方向リンクチャネルの推定を可能にする。これにより、アクセスポイントは、複数のアンテナがアクセスポイントにおいて使用可能であるときに、順方向リンク上で送信ビーム形成利得(transmit beam-forming gain)を抽出することができるようになる。
【０１０９】
システム１６００は、ワイヤレスデバイス１６１０（例えば、アクセスポイント）と、ワイヤレスデバイス１６５０（例えば、アクセス端末）と、を含む。デバイス１６１０においては、いくつかのデータストリームについてのトラフィックデータが、データソース１６１２から送信（「ＴＸ」）データプロセッサ１６１４へと供給される。
【０１１０】
いくつかの態様においては、各データストリームは、それぞれの送信アンテナ上で送信される。ＴＸデータプロセッサ１６１４は、符号化されたデータを提供するために、そのデータストリームのために選択される特定の符号化スキームに基づいて各データストリームについてトラフィックデータをフォーマットし、符号化し、そしてインターリーブする。
【０１１１】
各データストリームについての符号化されたデータは、ＯＦＤＭ技法を使用してパイロットデータと多重化されることができる。パイロットデータは、一般的に知られている方法で処理される、知られているデータパターンであり、そしてチャネル応答を推定するために受信機システムにおいて使用されることができる。次いで、各データストリームについての多重化されたパイロットデータと、符号化されたデータとは、そのデータストリームが変調シンボルを供給するために選択される特定の変調スキーム（例えば、ＢＰＳＫ、ＱＳＰＫ、Ｍ−ＰＳＫ、またはＭ−ＱＡＭ）に基づいて変調される（すなわち、シンボルマッピングされる）。各データストリームについてのデータレート、符号化、および変調は、プロセッサ１６３０によって実行される命令によって決定されることができる。データメモリ１６３２は、デバイス１６１０のプロセッサ１６３０または他のコンポーネントによって使用されるプログラムコード、データ、および他の情報を記憶することができる。
【０１１２】
次いで、すべてのデータストリームについての変調シンボルは、ＴＸ  ＭＩＭＯプロセッサ１６２０に対して供給され、このＴＸ  ＭＩＭＯプロセッサは、さらに変調シンボルを（例えば、ＯＦＤＭについて）処理することができる。次いで、ＴＸ  ＭＩＭＯプロセッサ１６２０は、ＮＴ個の変調シンボルストリームをＮＴ個のトランシーバ（「ＸＣＶＲ」）１６２２Ａないし１６２２Ｔへと供給する。いくつかの態様においては、ＴＸ  ＭＩＭＯプロセッサ１６２０は、データストリームのシンボルに対して、そしてシンボルが送信されているアンテナに対して、ビーム形成重み(beam-forming weights)を適用する。
【０１１３】
各送信機１６２２は、１つまたは複数のアナログ信号を供給するためにそれぞれのシンボルストリームを受信し、処理し、そしてさらにＭＩＭＯチャネル上での送信のために適切な被変調信号を供給するためにそれらのアナログ信号を調整する（例えば、増幅し、フィルタをかけ、そしてアップコンバートする）。次いで、トランシーバ１６２２Ａないし１６２２ＴからのＮＴ個の被変調信号は、それぞれＮＴ個のアンテナ１６２４Ａないし１６２４Ｔから送信される。
【０１１４】
デバイス１６５０において、送信された被変調信号は、ＮＲ個のアンテナ１６５２Ａないし１６５２Ｒによって受信され、そして各アンテナ１６５２からの受信信号は、それぞれのトランシーバ（「ＸＣＶＲ」）１６５４Ａないし１６５４Ｒへと供給される。各トランシーバ１６５４は、それぞれの受信信号を調整し（例えば、フィルタをかけ、増幅し、そしてダウンコンバートし）、サンプルを供給するために調整された信号をデジタル化し、そしてさらに対応する「受信された」シンボルストリームを供給するためにサンプルを処理する。
【０１１５】
次いで、受信（「ＲＸ」）データプロセッサ１６６０は、ＮＴ個の「検出された」シンボルストリームを供給するために、特定の受信機処理技法に基づいてＮＲ個のトランシーバ１６５４からのＮＲ個の受信シンボルストリームを受信し、そして処理する。次いで、ＲＸデータプロセッサ１６６０は、データストリームについてのトラフィックデータを回復するために、検出された各シンボルストリームを復調し、デインターリーブし、そして復号する。ＲＸデータプロセッサ１６６０による処理は、デバイス１６１０におけるＴＸ  ＭＩＭＯプロセッサ１６２０と、ＴＸデータプロセッサ１６１４とによって実行される処理と相補的である。
【０１１６】
プロセッサ１６７０は、どのプリコーディング行列(pre-coding matrix)を使用すべきかを定期的に決定する（下記に論じられる）。プロセッサ１６７０は、行列インデックス部分(matrix index portion)と、ランク値部分(rank value portion)とを備える逆方向リンクメッセージを定式化する。データメモリ１６７２は、デバイス１６５０のプロセッサ１６７０または他のコンポーネントによって使用されるプログラムコード、データ、および他の情報を記憶することができる。
【０１１７】
逆方向リンクメッセージは、通信リンクおよび／または受信データストリームに関する様々なタイプの情報を備えることができる。次いで、逆方向リンクメッセージは、データソース１６３６からいくつかのデータストリームについてのトラフィックデータも受信するＴＸデータプロセッサ１６３８によって処理され、変調器１６８０によって変調され、トランシーバ１６５４Ａないし１６５４Ｒによって調整され、そしてデバイス１６１０へと返信される。
【０１１８】
デバイス１６１０において、デバイス１６５０からの被変調信号は、アンテナ１６２４によって受信され、トランシーバ１６２２によって調整され、復調器（「ＤＥＭＯＤ」）１６４０によって復調され、そしてデバイス１６５０によって送信される逆方向リンクメッセージを抽出するためにＲＸデータプロセッサ１６４２によって処理される。次いで、プロセッサ１６３０は、ビーム形成重みを決定するために、どのプリコーディング行列を使用すべきかを決定し、次いで抽出されたメッセージを処理する。
【０１１９】
図１６はまた、通信コンポーネントが、ここにおいて教示されるように混乱制御オペレーションを実行する１つまたは複数のコンポーネントを含むことができることも示している。例えば、混乱制御コンポーネント１６９０は、ここにおいて教示されるように別のデバイス（例えば、デバイス１６５０）へと／から信号を送信／受信するためにデバイス１６１０のプロセッサ１６３０および／または他のコンポーネントと協力することができる。同様に、混乱制御コンポーネント１６９２は、別のデバイス（例えば、デバイス１６１０）へと／から信号を送信／受信するためにデバイス１６５０のプロセッサ１６７０および／または他のコンポーネントと協力することができる。各デバイス１６１０および１６５０では、２つ以上の説明されたコンポーネントの機能は、単一のコンポーネントによって提供されることができることを理解すべきである。例えば、単一の処理コンポーネントは、混乱制御コンポーネント１６９０とプロセッサ１６３０との機能を提供することができ、そして単一の処理コンポーネントは、混乱制御コンポーネント１６９２とプロセッサ１６７０との機能を提供することができる。
【０１２０】
ここにおける教示は、様々なタイプの通信システムおよび／またはシステムコンポーネントへと組み込まれることができる。いくつかの態様においては、ここにおける教示は、使用可能なシステムリソースを共用することにより（例えば、１つまたは複数の帯域幅、送信パワー、符号化、インターリービングなどを指定することにより）複数のユーザとの通信をサポートすることができる多元接続システムの中で使用されることができる。例えば、ここにおける教示は、以下の技術：符号分割多元接続（「ＣＤＭＡ」）システム、マルチキャリアＣＤＭＡ（「ＭＣＣＤＭＡ」）、広帯域ＣＤＭＡ（「Ｗ−ＣＤＭＡ」）、高速パケットアクセス（「ＨＳＰＡ」、「ＨＳＰＡ＋」）システム、時分割多元接続（「ＴＤＭＡ」）システム、周波数分割多元接続（「ＦＤＭＡ」）システム、シングルキャリアＦＤＭＡ（「ＳＣ−ＦＤＭＡ」）システム、直交周波数分割多元接続（「ＯＦＤＭＡ」）システム、または他の多元接続技法、のうちの任意の１つまたは組合せに対して適用されることができる。ここにおける教示を使用したワイヤレス通信システムは、ＩＳ−９５規格、ｃｄｍａ２０００規格、ＩＳ−８５６規格、Ｗ−ＣＤＭＡ規格、ＴＤＳＣＤＭＡ規格、他の規格など、１つまたは複数の規格をインプリメントするように設計されることができる。ＣＤＭＡネットワークは、ユニバーサル地上波無線アクセス（「ＵＴＲＡ」）技術、ｃｄｍａ２０００技術、何らかの他の技術などの無線技術をインプリメントすることができる。ＵＴＲＡは、Ｗ−ＣＤＭＡと、低チップレート（「ＬＣＲ」）と、を含む。ｃｄｍａ２０００技術は、ＩＳ−２０００規格と、ＩＳ−９５規格と、ＩＳ−８５６規格と、をカバーする。ＴＤＭＡネットワークは、移動通信用グローバルシステム（「ＧＳＭ」）などの無線技術をインプリメントすることができる。ＯＦＤＭＡネットワークは、先進ＵＴＲＡ(Evolved UTRA)（「Ｅ−ＵＴＲＡ」）、ＩＥＥＥ８０２．１１、ＩＥＥＥ８０２．１６、ＩＥＥＥ８０２．２０、フラッシュ−ＯＦＤＭ（登録商標）などの無線技術をインプリメントすることができる。ＵＴＲＡ、Ｅ−ＵＴＲＡ、およびＧＳＭは、ユニバーサルモバイルテレコミュニケーションシステム（「ＵＭＴＳ」）の一部分である。ここにおける教示は、３ＧＰＰロングタームエボリューション（「ＬＴＥ」）システムと、ウルトラモバイルブロードバンド（「ＵＭＢ」）システムと、他のタイプのシステムとの中でインプリメントされることができる。ＬＴＥは、Ｅ−ＵＴＲＡを使用するＵＭＴＳのリリースである。本開示のある種の態様は、３ＧＰＰの専門用語を使用して説明されることができるが、ここにおける教示は、３ＧＰＰ（Ｒｅｌ９９、Ｒｅｌ５、Ｒｅｌ６、Ｒｅｌ７）技術、ならびに３ＧＰＰ２（ＩｘＲＴＴ、１ｘＥＶ−ＤＯ、ＲｅｌＯ、ＲｅｖＡ、ＲｅｖＢ）技術および他の技術に対して適用されることができることを理解すべきである。
【０１２１】
ここにおける教示は、様々な装置（例えば、ノード）へと組み込まれる（例えば、内部にインプリメントされ、あるいはそれによって実行される）ことができる。いくつかの態様においては、ここにおける教示に従ってインプリメントされるノード（例えば、ワイヤレスノード）は、アクセスポイントまたはアクセス端末を備えることができる。
【０１２２】
例えば、アクセス端末は、ユーザ装置、加入者局、加入者ユニット、移動局、モバイル、モバイルノード、リモート局、リモート端末、ユーザ端末、ユーザエージェント、ユーザデバイス、または何らかの他の専門用語、を備え、としてインプリメントされ、あるいはとして知られていることができる。いくつかのインプリメンテーションにおいては、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の適切な処理デバイス、を備えることができる。したがって、ここにおいて教示される１つまたは複数の態様は、電話（例えば、セルラ電話またはスマートフォン）、コンピュータ（例えば、ラップトップ）、ポータブル通信デバイス、ポータブルコンピューティングデバイス（例えば、パーソナルデータアシスタント(personal data assistant)）、娯楽デバイス（例えば、音楽デバイス、ビデオデバイス、または衛星無線）、全地球測位システムデバイス、あるいはワイヤレス媒体を経由して通信するように構成された他の適切な任意のデバイス、へと組み込まれることができる。
【０１２３】
アクセスポイントは、ＮｏｄｅＢ、ｅＮｏｄｅＢ、無線ネットワークコントローラ（「ＲＮＣ」）、基地局（「ＢＳ」）、無線基地局（「ＲＢＳ」）、基地局コントローラ（「ＢＳＣ」）、基地トランシーバ局（「ＢＴＳ」）、トランシーバ機能（「ＴＦ」）、無線トランシーバ、無線ルータ、基本サービスセット（「ＢＳＳ」）、拡張サービスセット（「ＥＳＳ」）、または何らかの他の類似した専門用語、を備え、としてインプリメントされ、あるいはとして知られていることができる。
【０１２４】
いくつかの態様においては、ノード（例えば、アクセスポイント）は、通信システムについてのアクセスノードを備えることができる。そのようなアクセスノードは、例えば、ネットワークに対する有線またはワイヤレスの通信リンクを経由したネットワーク（例えば、インターネットやセルラネットワークなどのワイドエリアネットワーク）のための、あるいはそれに対する接続性を提供することができる。したがって、アクセスノードは、別のノード（例えば、アクセス端末）が、ネットワークまたは何らかの他の機能にアクセスすることを可能にすることができる。さらに、ノードの一方または両方は、ポータブルであり、あるいはいくつかの場合には比較的ポータブルでないようにすることができることを理解すべきである。
【０１２５】
また、ワイヤレスノードは、非ワイヤレスの方法で（例えば、有線接続を経由して）情報を送信すること、および／または受信することができるようにすることができることも理解すべきである。したがって、ここにおいて論じられるような受信機および送信機は、非ワイヤレス媒体を経由して通信する適切な通信インターフェースコンポーネント（例えば、電気または光のインターフェースコンポーネント）を含むことができる。
【０１２６】
ワイヤレスノードは、適切な任意のワイヤレス通信技術に基づいている、あるいはそうでなければサポートする１つまたは複数のワイヤレス通信リンクを経由して通信することができる。例えば、いくつかの態様においては、ワイヤレスノードは、ネットワークに関連づけることができる。いくつかの態様においては、ネットワークは、ローカルエリアネットワークまたはワイドエリアネットワークを備えることができる。ワイヤレスデバイスは、ここにおいて論じられるもの（例えば、ＣＤＭＡ、ＴＤＭＡ、ＯＦＤＭ、ＯＦＤＭＡ、ＷｉＭＡＸ、Ｗｉ−Ｆｉなど）など、１つまたは複数の様々なワイヤレス通信技術、プロトコル、または規格をサポートする、あるいはそうでなければ使用することができる。同様に、ワイヤレスノードは、１つまたは複数の様々な対応する変調または多重化のスキームをサポートする、あるいはそうでなければ使用することができる。ワイヤレスノードは、それ故に、上記の、または他のワイヤレス通信技術を使用して、１つまたは複数のワイヤレス通信リンクを経由して確立し、そして通信すべき適切なコンポーネント（例えば、エアインターフェース）を含むことができる。例えば、ワイヤレスノードは、ワイヤレス媒体上での通信を容易にする様々なコンポーネント（例えば、信号ジェネレータおよび信号プロセッサ）を含むことができる関連する送信機コンポーネントと受信機コンポーネントとを有するワイヤレストランシーバを備えることができる。
【０１２７】
ここにおいて説明されるコンポーネントは、様々なやり方でインプリメントされることができる。図１７〜２１を参照すると、装置１７００、１８００、１９００、２０００、および２１００は、一連の相互に関連した機能ブロックとして表される。いくつかの態様においては、これらのブロックの機能は、１つまたは複数のプロセッサコンポーネントを含む処理システムとしてインプリメントされることができる。いくつかの態様においては、これらのブロックの機能は、例えば、１つまたは複数の集積回路（例えば、ＡＳＩＣ）の少なくとも一部分を使用してインプリメントされることができる。ここにおいて論じられるように、集積回路は、プロセッサ、ソフトウェア、他の関連したコンポーネント、またはそれらの何らかの組合せを含むことができる。これらのブロックの機能はまた、ここにおいて教示されるように何らかの他の方法でインプリメントされることもできる。いくつかの態様においては、図１７〜２１の中の１つまたは複数の破線のブロックは、オプショナルである。
【０１２８】
装置１７００、１８００、１９００、２０００、および２１００は、様々な図に関して上記に説明される１つまたは複数の機能を実行することができる１つまたは複数のモジュールを含むことができる。例えば、受信手段１７０２、メッセージ受信手段１８０６、要求受信手段１９０６、信号受信手段２０１２、または受信手段２１０８は、例えば、ここにおいて論じられるような受信機および／または通信コントローラに対応することができる。識別決定手段１７０４または同一識別子決定手段１９０２は、例えば、ここにおいて論じられるような混乱検出器に対応することができる。メッセージ送信手段１７０６、識別子送信手段１８０２、識別子定義手段１８０８、識別子決定手段１９０８、タイプ決定手段２００４、第２の識別子決定手段２００６、または識別子選択手段２１０４は、例えば、ここにおいて論じられるような識別子コントローラに対応することができる。送信手段１７０６または送信手段２００８は、例えば、ここにおいて論じられるような送信機および／または通信コントローラに対応することができる。閾値送信手段１８０４または閾値定義手段１８１０は、例えば、ここにおいて論じられるような閾値コントローラに対応することができる。報告送信手段１９０４は、例えば、ここにおいて論じられるような報告ジェネレータに対応することができる。第１の識別子決定手段２００２、識別子使用手段２０１０、通信手段２１０２、または送信手段２１０６は、例えば、ここにおいて論じられるような通信コントローラに対応することができる。信号強度決定手段２０１４は、例えば、ここにおいて論じられるような信号プロセッサおよび／または受信機に対応することができる。
【０１２９】
「第１の」、「第２の」などの指定を使用した、ここにおける要素に対するどのような言及も、一般にこれらの要素の量または順序を限定しないことを理解すべきである。もっと正確に言えば、これらの指定は、２つ以上の要素、または要素のインスタンスの間で区別する便利な方法としてここにおいて使用されることができる。したがって、第１および第２の要素に対する言及は、２つの要素だけが、そこで使用されることができること、あるいは第１の要素が、何らかの方法で第２の要素に先行しなければならないことを意味してはいない。また、別の方法で述べられない限り、１組の要素は、１つまたは複数の要素を備えることができる。さらに、明細書または特許請求の範囲の中で使用される「Ａ、Ｂ、またはＣのうちの少なくとも１つ」という形式の述語(terminology)は、「ＡまたはＢまたはＣ、あるいはこれらの要素の任意の組合せ」を意味する。
【０１３０】
当業者は、情報および信号が、様々な異なる技術および技法のうちのどれを使用しても表されることができることを理解するであろう。例えば、上記の説明全体を通して参照されることができるデータ、命令、コマンド、情報、信号、ビット、シンボル、およびチップは、電圧、電流、電磁波、磁気の場または粒子、光学的な場または粒子、あるいはそれらの任意の組合せによって表されることができる。
【０１３１】
当業者はさらに、ここにおいて開示される態様に関連して説明される様々な例示の論理ブロック、モジュール、プロセッサ、手段、回路、およびアルゴリズムステップが、電子ハードウェア（例えば、ソースコーディング(source coding)または何らかの他の技法を使用して設計されることができるデジタルインプリメンテーション、アナログインプリメンテーション、またはそれら２つの組合せ）、命令を組み込んだ様々な形態のプログラムまたは設計コード（これは、ここにおいて便宜上、「ソフトウェア」または「ソフトウェアモジュール」と称されることができる）、あるいは両方の組合せとしてインプリメントされることができる。ハードウェアとソフトウェアとのこの交換性を明確に示すために、様々な例示のコンポーネント、ブロック、モジュール、回路、およびステップが、それらの機能の観点から一般的に上記に説明されてきている。そのような機能が、ハードウェアとしてインプリメントされるか、あるいはソフトウェアとしてインプリメントされるかは、特定のアプリケーションと、全体的なシステムに課される設計制約条件と、に依存する。当業者は、特定の各アプリケーションについて様々なやり方で、説明された機能をインプリメントすることができるが、そのようなインプリメンテーションの決定は、本開示の範囲からの逸脱を引き起こすものとして解釈されるべきではない。
【０１３２】
ここにおいて開示される態様に関連して説明される様々な例示の論理ブロック、モジュール、および回路は、集積回路（「ＩＣ」）、アクセス端末、またはアクセスポイントの内部にインプリメントされ、あるいはそれらによって実行されることができる。ＩＣは、ここにおいて説明される機能を実行するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、電気コンポーネント、光コンポーネント、機械コンポーネント、あるいはそれらの任意の組合せを備えることができ、そしてＩＣ内部に、ＩＣの外部に、あるいは両方に存在するコードまたは命令を実行することができる。汎用プロセッサは、マイクロプロセッサであってもよいが、代替案においては、プロセッサは、従来の任意のプロセッサ、コントローラ、マイクロコントローラ、または状態機械であってもよい。プロセッサは、コンピューティングデバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーションとしてインプリメントされることもできる。
【０１３３】
任意の開示されたプロセスの中のステップの特定の任意の順序または階層は、例のアプローチについての一例であることが理解される。設計の好みに基づいて、プロセスの中のステップの特定の順序または階層は、現在の開示の範囲内にとどまりながら再構成されることができることが理解される。付随する方法は、例の順序における様々なステップの現在の要素を要求しており、そして提示される特定の順序または階層だけに限定されるようには意味されない。
【０１３４】
説明される機能は、ハードウェア、ソフトウェア、ファームウェア、またはそれらの任意の組合せの形でインプリメントされることができる。ソフトウェアでインプリメントされる場合、それらの機能は、コンピュータ可読媒体上に１つまたは複数の命令またはコードとして記憶され、あるいは送信されることができる。コンピュータ可読媒体は、ある場所から別の場所へのコンピュータプログラムの転送を容易にする任意の媒体を含めて、コンピュータ記憶媒体と、通信媒体との両方を含む。記憶媒体は、コンピュータによってアクセスされることができる使用可能な任意の媒体とすることができる。例として、限定するものではないが、そのようなコンピュータ可読媒体は、ＲＡＭ、ＲＯＭ、ＥＥＰＲＯＭ、ＣＤ−ＲＯＭまたは他の光ディスク記憶、磁気ディスク記憶または他の磁気記憶デバイス、あるいは命令またはデータ構造の形態で望ましいプログラムコードを搬送し、または記憶するために使用されることができ、そしてコンピュータによってアクセスされることができる他の任意の媒体、を備えることができる。また、任意の接続は、コンピュータ可読媒体と適切に名づけられることもある。例えば、ソフトウェアが、同軸ケーブル、光ファイバケーブル、ツイストペア、デジタル加入者回線（ＤＳＬ）、または赤外線、無線、マイクロ波などのワイヤレス技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などのワイヤレス技術は、媒体の定義の中に含まれる。ここにおいて使用されるようなディスク(Disk)およびディスク(disc)は、コンパクトディスク（ＣＤ）、レーザディスク、光ディスク、デジタル多用途ディスク（ＤＶＤ）、フロッピディスク、およびブルーレイディスクを含み、ここでディスク(disks)は通常、データを磁気的に再生するが、ディスク(discs)は、レーザを用いて光学的にデータを再生する。上記の組合せもまた、コンピュータ可読媒体の範囲内に含められるべきである。要約すれば、コンピュータ可読媒体は、適切な任意のコンピュータプログラムプロダクト(computer-program product)の中にインプリメントされることができることを理解すべきである。
【０１３５】
上記を考慮して、いくつかの態様においては、通信の第１の方法は、第１のノード識別子によって識別されるノードについてのメッセージを受信することと、別のノードが、第１のノード識別子によって識別されるかどうかを決定することと、その決定の結果として、そのノードとの通信を確立するために第２のノード識別子の使用を指定するメッセージを送信することと、を備える。さらに、いくつかの態様においては、以下のうちの少なくとも１つはまた、通信の第１の方法に対して適用することもできる：別のノードが、第１のノード識別子によって識別されるかどうかを決定することは、複数のセルが、指定されたセル識別子を使用するかどうかを決定することを備える；第２のノード識別子は、ノードを固有に識別する；第１のノード識別子は、第１の領域の中で固有であり、そして第２のノード識別子は、第１の領域よりも大きい第２の領域の中で固有である；メッセージは、ハンドオーバー要求、干渉管理信号方式、信号強度測定報告、または少なくとも１つのリソースを予約するためのメッセージを備える；本方法は、ノードについての第２のノード識別子を備える別のメッセージを受信することと、その別のメッセージをノードに対してトンネルすることと、をさらに備える；決定は、近隣の発見を行うこと、または第１の識別子が、識別子のリストの中で見出されるかどうかを決定すること、を備える；識別子のリストは、範囲を備える；メッセージは、第１のノード識別子のインジケーションを備え、そして決定は、そのインジケーションをノード識別子のインジケーションのリストと比較することを備える；ノード識別子のインジケーションのリストは、エリアの中の複数のノードに共通であるノード識別子を備え、そしてノード識別子は、別のメッセージを経由して、あるいは近隣の発見を通して受信される；第１のノード識別子は、物理セル識別子、パイロット識別子、または疑似乱数シーケンスを備え、そして第２のノード識別子は、セルグローバル識別子、アクセスネットワーク識別子、またはセクタ識別子を備える；ノードは、アクセスポイントを備える；ノードは、フェムトセルまたはピコセルを備える；ノードは、少なくとも１つの他のノードについて、信号方式、データアクセス、登録、ページング、またはサービスのうちの少なくとも１つを提供しないように制限される。
【０１３６】
いくつかの態様においては、通信のための装置は、第１のノード識別子によって識別されるノードについてのメッセージを受信するように構成された受信機と、別のノードが、第１のノード識別子によって識別されるかどうかを決定するように構成された混乱検出器と、その決定の結果として、ノードとの通信を確立するために第２のノード識別子の使用を指定するメッセージを送信するように構成された識別子コントローラと、を備える。
【０１３７】
いくつかの態様においては、通信のための装置は、第１のノード識別子によって識別されるノードについてのメッセージを受信するための手段と、別のノードが、第１のノード識別子によって識別されるかどうかを決定するための手段と、その決定の結果として、ノードとの通信を確立するために第２のノード識別子の使用を指定するメッセージを送信するための手段と、を備える。
【０１３８】
いくつかの態様においては、コンピュータプログラムプロダクトは、コンピュータに、第１のノード識別子によって識別されるノードについてのメッセージを受信するように、別のノードが、第１のノード識別子によって識別されるかどうかを決定するように、そしてその決定の結果として、ノードとの通信を確立するために第２のノード識別子の使用を指定するメッセージを送信するように、させるためのコードを備えるコンピュータ可読媒体を備える。
【０１３９】
いくつかの態様においては、通信の第２の方法は、第１のノード識別子によって識別されるノードに対してメッセージを送信するように選ぶことと、別のノードが、第１のノード識別子によって識別されることができるかどうかを決定することと、その決定に基づいて、そのノードとの通信を確立するために第２のノード識別子を使用することと、を備える。さらに、いくつかの態様においては、以下のうちの少なくとも１つはまた、通信の第２の方法に対して適用することもできる：第２のノード識別子は、固有にノードを識別する；第１のノード識別子は、第１の領域の中で固有であり、第２のノード識別子は、第１の領域よりも大きい第２の領域の中で固有である；メッセージは、ハンドオーバー要求、干渉管理信号方式、信号強度測定報告、または少なくとも１つのリソースを予約するためのメッセージ、を備える；決定は、別のノードが、第１のノード識別子によって識別されるかどうかを示すメッセージを受信することを備える；本方法は、通信を確立するために第１のノード識別子のインジケーションを備えるメッセージを送信することをさらに備え、ここで決定は、第２のノード識別子が、通信を確立するために使用されるべきであることを指定する、メッセージに対する応答を受信することを備える；決定は、別のノードと通信しようと試みることと、通信が認可されないことを示すメッセージを別のノードから受信することと、を備える；本方法は、ノードとの通信を確立する後続の試みのために第２のノード識別子を使用することをさらに備える；第１のノード識別子は、物理セル識別子、パイロット識別子、または疑似乱数シーケンスを備え、そして第２のノード識別子は、セルグローバル識別子、アクセスネットワーク識別子、またはセクタ識別子を備える；ノードは、アクセスポイントを備える；ノードは、フェムトセルまたはピコセルを備える；ノードは、少なくとも１つの他のノードについて、信号方式、データアクセス、登録、ページング、またはサービスのうちの少なくとも１つを提供しないように制限される。
【０１４０】
いくつかの態様においては、通信のための装置は、第１のノード識別子によって識別されるノードに対してメッセージを送信するように選ぶように構成された通信コントローラと、別のノードが、第１のノード識別子によって識別されることができるかどうかを決定するように構成された混乱検出器と、を備え、その通信コントローラは、さらに、その決定に基づいて、ノードとの通信を確立するために第２のノード識別子を使用するように構成されている。
【０１４１】
いくつかの態様においては、通信のための装置は、第１のノード識別子によって識別されるノードに対してメッセージを送信するように選ぶための手段と、別のノードが、第１のノード識別子によって識別されることができるかどうかを決定するための手段と、その決定に基づいて、ノードとの通信を確立するために第２のノード識別子を使用するための手段と、を備える。
【０１４２】
いくつかの態様においては、コンピュータプログラムプロダクトは、コンピュータに、第１のノード識別子によって識別されるノードに対してメッセージを送信するように選ぶように、別のノードが、第１のノード識別子によって識別されることができるかどうかを決定するように、そしてその決定に基づいて、ノードとの通信を確立するために第２のノード識別子を使用するように、させるためのコードを備えるコンピュータ可読媒体、を備える。
【０１４３】
いくつかの態様においては、通信の第３の方法は、アクセスポイントとの通信を確立するための第１の識別子決定することと、第１の識別子のタイプを決定することと、第１の識別子のタイプに基づいて、アクセスポイントとの通信を確立するための第２の識別子を決定することと、を備える。さらに、いくつかの態様においては、以下のうちの少なくとも１つはまた、通信の第３の方法に対して適用することもできる：第１の識別子のタイプを決定することは、別のノードが、第１の識別子によって識別されるかどうかを示すメッセージを受信すること、を備える；本方法は、アクセスポイントとの通信を確立する後続の試みのために第２の識別子を使用すること、をさらに備える；第１の識別子のタイプを決定することは、複数のセルが、第１のタイプの同一のセル識別子を使用するかどうかを決定すること、を備える；本方法は、同一のセル識別子についての複数の入力を備える測定報告を送信すること、をさらに備える；第１の識別子は、アクセスポイントに関連する物理セル識別子、アクセスポイントに関連する疑似乱数オフセット、またはアクセスポイントに関連する捕捉パイロットを備え、そして第２の識別子は、アクセスポイントに関連するグローバルセル識別子、アクセスポイントに関連するインターネットプロトコルアドレス、またはネットワーク内でアクセスポイントを固有に識別する識別子を備える；第２の識別子の決定は、アクセスポイントとの通信を確立するときに、そうでなければ第１の識別子の使用によって引き起こされることになる混乱を回避するために呼び出される；第２の識別子の決定は、第１の識別子の値が、１組の指定された値のうちの１つであるかどうかに基づいている；その１組の指定された値は、混乱フリーではないとして指定されるアクセスポイントに関連づけられる；１組の指定された値は、閉ざされた加入者グループに関連づけられる；１組の指定された値は、少なくとも１つの指定されたタイプのアクセスポイントに関連づけられる；少なくとも１つの指定されたタイプは、送信パワーと、カバレッジエリアと、中継能力とから成る群のうちの少なくとも１つに関連している；本方法は、別のアクセスポイントから１組の指定された値のリストを受信すること、をさらに備える；アクセスポイントとの通信を確立することは、信号強度測定メッセージ、無線リソース報告、またはハンドオーバー要求と一緒に第２の識別子を送信すること、を備える；第２の識別子は、アクセスポイントに対するハンドオーバーを開始する別のアクセスポイントに対して送信される；本方法は、第２の識別子を使用してアクセスポイントに対してメッセージを送信すること、をさらに備える；アクセスポイントは、フェムトセルまたはピコセルを備える；アクセスポイントは、制限された１組の少なくとも１つのアクセス端末にサービスを提供する。
【０１４４】
いくつかの態様においては、通信のための装置は、アクセスポイントとの通信を確立するための第１の識別子を決定するように構成された通信コントローラと、第１の識別子に基づいて、アクセスポイントとの通信を確立するための第２の識別子を決定するように構成された識別子コントローラと、を備える。
【０１４５】
いくつかの態様においては、通信のための装置は、アクセスポイントとの通信を確立するための第１の識別子を決定するための手段と、第１の識別子に基づいて、アクセスポイントとの通信を確立するための第２の識別子を決定するための手段と、を備える。
【０１４６】
いくつかの態様においては、コンピュータプログラムプロダクトは、コンピュータに、アクセスポイントとの通信を確立するための第１の識別子を決定するように、そして第１の識別子に基づいて、アクセスポイントとの通信を確立するための第２の識別子を決定するように、させるためのコードを備えるコンピュータ可読媒体、を備える。
【０１４７】
いくつかの態様においては、通信の第４の方法は、第１のアクセスポイントと通信することと、第１のアクセスポイントに関連する１組の識別子のうちの１つの識別子を選択することと、第２のアクセスポイントとの通信を確立するときにその選択された識別子を第２のアクセスポイントに対して送信することと、を備える。さらに、いくつかの態様においては、以下のうちの少なくとも１つはまた、通信の第４の方法に対して適用することもできる：識別子の選択は、第１のアクセスポイントに関連するノードタイプに基づいている；識別子の組は、第１の識別子と、第２の識別子とを備え、そして選択された識別子は、第２の識別子を備える；第１の識別子は、第１のアクセスポイントに関連する物理セル識別子、第１のアクセスポイントに関連する疑似乱数オフセット、または第１のアクセスポイントに関連する捕捉パイロットを備え、そして第２の識別子は、第１のアクセスポイントに関連するグローバルセル識別子、第１のアクセスポイントに関連するインターネットプロトコルアドレス、またはネットワーク内で第１のアクセスポイントを固有に識別する識別子を備える；第２の識別子は、第２のアクセスポイントとの通信を確立するときに、そうでなければ第１の識別子の使用によって引き起こされる可能性がある混乱を回避するために選択される；その識別子の選択は、第１の識別子の値が、１組の指定された値のうちの１つであるかどうかに基づいている；その１組の指定された値は、混乱フリーではないとして指定されるアクセスポイントと、閉ざされた加入者グループと、少なくとも１つの指定されたタイプのアクセスポイントとから成る群のうちの少なくとも１つに関連づけられる；少なくとも１つの指定されたタイプは、送信パワーと、カバレッジエリアと、中継能力とから成る群のうちの少なくとも１つに関連している；本方法は、第１のアクセスポイントから１組の指定された値のリストを受信すること、をさらに備える；選択された識別子は、接続要求と一緒に送信される；識別子の選択は、第１のアクセスポイントとの通信の喪失によってトリガされる；選択された識別子は、第１のアクセスポイントとの通信を確立するために、かつ／または第１のアクセスポイントからコンフィギュレーション情報を得るために、第２のアクセスポイントによって使用される；第１のアクセスポイントは、フェムトセルまたはピコセルを備える；第１のアクセスポイントは、制限された１組の少なくとも１つのアクセス端末にサービスを提供する。
【０１４８】
いくつかの態様においては、通信のための装置は、第１のアクセスポイントと通信するように構成された通信コントローラと、第１のアクセスポイントに関連する１組の識別子のうちの１つの識別子を選択するように構成された識別子コントローラと、を備え、ここで通信コントローラは、さらに、第２のアクセスポイントとの通信を確立するときに、選択された識別子を第２のアクセスポイントに対して送信するように構成されている。
【０１４９】
いくつかの態様においては、通信のための装置は、第１のアクセスポイントと通信するための手段と、第１のアクセスポイントに関連する１組の識別子のうちの１つの識別子を選択するための手段と、第２のアクセスポイントとの通信を確立するときに、選択された識別子を第２のアクセスポイントに対して送信するための手段と、を備える。
【０１５０】
いくつかの態様においては、コンピュータプログラムプロダクトは、コンピュータに、第１のアクセスポイントと通信するように、第１のアクセスポイントに関連する１組の識別子のうちの１つの識別子を選択するように、そして第２のアクセスポイントとの通信を確立するときに、選択された識別子を第２のアクセスポイントに対して送信するように、させるためのコードを備えるコンピュータ可読媒体、を備える。
【０１５１】
いくつかの態様においては、通信の第５の方法は、複数のセルが、第１のタイプの同一のセル識別子を使用するかどうかを決定することと、その決定に基づいて第１のタイプのセル識別子に関連する第２のタイプのセル識別子についての要求を送信することと、を備える。さらに、いくつかの態様においては、以下のうちの少なくとも１つはまた、通信の第５の方法に対して適用することもできる：第１のタイプのセル識別子は、物理セル識別子を備え、そして第２のタイプのセル識別子は、グローバルセル識別子を備える；本方法は、セルのうちの１つが、混乱を引き起こす可能性があるセル識別子を使用することを示す測定報告を受信すること、をさらに備える；決定は、セルによって使用されるセル識別子を示す近隣の発見に基づいている；決定は、セルによって使用されるセル識別子を示す受信メッセージに基づいている；本方法は、要求に対する、第２のタイプのセル識別子を備える応答を受信することと、第２のタイプのセル識別子を使用してハンドオーバーを開始することと、をさらに備える；セルは、フェムトセルまたはピコセルを備える；本方法は、基地局によって実行される。
【０１５２】
いくつかの態様においては、通信のための装置は、第１のセルと第２のセルとが、第１のタイプの同一のセル識別子を使用するかどうかを決定するように構成された混乱検出器と、その決定に基づいて第１のタイプのセル識別子に関連する第２のタイプのセル識別子についての要求を送信するように構成された識別子コントローラと、を備える。
【０１５３】
いくつかの態様においては、通信のための装置は、第１のセルと第２のセルとが、第１のタイプの同一のセル識別子を使用するかどうかを決定するための手段と、その決定に基づいて第１のタイプのセル識別子に関連する第２のタイプのセル識別子についての要求を送信するための手段と、を備える。
【０１５４】
いくつかの態様においては、コンピュータプログラムプロダクトは、コンピュータに、第１のセルと第２のセルとが、第１のタイプの同一のセル識別子を使用するかどうかを決定するように、そしてその決定に基づいて第１のタイプのセル識別子に関連する第２のタイプのセル識別子についての要求を送信するように、させるためのコードを備えるコンピュータ可読媒体、を備える。
【０１５５】
いくつかの態様においては、通信の第６の方法は、セル識別子に関連する信号を受信することと、セル識別子が、定義された１組の第１のタイプのセル識別子のうちの１つであるかどうかを決定することと、信号の信号強度が、定義された１組のセル識別子に関連する閾値以上であるかどうかを決定することと、セル識別子が、定義された１組のセル識別子のうちの１つであり、そして信号強度が、その閾値以上である場合に、セル識別子に関連する第２のタイプの識別子のセル識別子を捕捉することと、捕捉されたセル識別子を備えるメッセージを送信することと、を備える。さらに、いくつかの態様においては、以下のうちの少なくとも１つはまた、通信の第６の方法に対して適用することもできる：第１のタイプのセル識別子は、物理セル識別子を備え、そして第２のタイプのセル識別子は、グローバルセル識別子を備える；定義された組は、第１のタイプのすべてのセル識別子のサブセットを備え、そして定義された組は、別のセルのカバレッジエリア内の複数のセルに割り当てられることができるセル識別子を識別する；セル識別子の捕捉は、信号を送信したセルからセル識別子を受信すること、を備える；メッセージは、測定報告を備える；本方法は、メッセージを送信することの結果として捕捉されたセル識別子に関連するセルに対するハンドオーバーを実行するコマンドを受信すること、をさらに備える；本方法は、定義された１組のセル識別子と、無線の閾値(threshold over-the-air)とを受信すること、をさらに備える；第１のタイプのセル識別子は、フェムトセルまたはピコセルを識別する；本方法は、アクセス端末によって実行される。
【０１５６】
いくつかの態様においては、通信のための装置は、セル識別子に関連する信号を受信するように構成された受信機と、セル識別子が、定義された１組の第１のタイプのセル識別子のうちの１つであるかどうかを決定するコンパレータと、信号の信号強度が、定義された１組のセル識別子に関連する閾値以上であるかどうかを決定するように構成された信号プロセッサと、セル識別子が、定義された１組のセル識別子のうちの１つであり、そして信号強度が、その閾値以上である場合に、セル識別子に関連する第２のタイプの識別子のセル識別子を捕捉するように構成された識別子コントローラと、捕捉されたセル識別子を備えるメッセージを送信するように構成された送信機と、を備える。
【０１５７】
いくつかの態様においては、通信のための装置は、セル識別子に関連する信号を受信するための手段と、セル識別子が、定義された１組の第１のタイプのセル識別子のうちの１つであるかどうかを決定するための手段と、信号の信号強度が、定義された１組のセル識別子に関連する閾値以上であるかどうかを決定するための手段と、セル識別子が、定義された１組のセル識別子のうちの１つであり、そして信号強度が、その閾値以上である場合に、セル識別子に関連する第２のタイプの識別子のセル識別子を捕捉するための手段と、捕捉されたセル識別子を備えるメッセージを送信するための手段と、を備える。
【０１５８】
いくつかの態様においては、コンピュータプログラムプロダクトは、コンピュータに、セル識別子に関連する信号を受信するように、セル識別子が、定義された１組の第１のタイプのセル識別子のうちの１つであるかどうかを決定するように、信号の信号強度が、定義された１組のセル識別子に関連する閾値以上であるかどうかを決定するように、セル識別子が、定義された１組のセル識別子のうちの１つであり、そして信号強度が、その閾値以上である場合に、セル識別子に関連する第２のタイプの識別子のセル識別子を捕捉するように、そして捕捉されたセル識別子を備えるメッセージを送信するように、させるためのコードを備えるコンピュータ可読媒体、を備える。
【０１５９】
いくつかの態様においては、通信の第７の方法は、定義された１組の第１のタイプのセル識別子をノードに対して送信することと；定義された１組のセル識別子に関連する閾値をノードに対して送信することと、なおその閾値は、第２のタイプのセル識別子を捕捉すべきかどうかを決定するためのものである；第２のタイプのセル識別子のうちの１つを備えるメッセージをノードから受信することと；を備える。さらに、いくつかの態様においては、以下のうちの少なくとも１つはまた、通信の第７の方法に対して適用することもできる：第１のタイプのセル識別子は、物理セル識別子を備え、そして第２のタイプのセル識別子は、グローバルセル識別子を備える；定義された組は、第１のタイプのセル識別子のスーパーセットのサブセットを備え、そして定義された組は、別のセルのカバレッジエリア内の複数のセルに割り当てられることができるセル識別子を識別する；本方法は、定義された１組のセル識別子を定義すること、をさらに備える；定義された１組のセル識別子の定義は、第１のタイプの共通のセル識別子を使用する複数の近隣のセルを識別すること、を備える；本方法は、閾値を定義すること、をさらに備える；メッセージは、測定報告を備える；本方法は、第２のタイプの受信されたセル識別子に関連するセルに対してハンドオーバーを実行するようにノードに指示すること、をさらに備える；第１のタイプのセル識別子は、フェムトセルまたはピコセルを識別する；本方法は、基地局によって実行される。
【０１６０】
いくつかの態様においては、通信のための装置は、定義された１組の第１のタイプのセル識別子をノードに対して送信するように構成された識別子コントローラと；定義された１組のセル識別子に関連する閾値をノードに対して送信するように構成された閾値コントローラと、なおその閾値は、第２のタイプのセル識別子を捕捉すべきかどうかを決定するためのものである；第２のタイプのセル識別子のうちの１つを備えるメッセージをノードから受信するように構成された受信機と；を備える。
【０１６１】
いくつかの態様においては、通信のための装置は、定義された１組の第１のタイプのセル識別子をノードに対して送信するための手段と；定義された１組のセル識別子に関連する閾値をノードに対して送信するための手段と、なおその閾値は、第２のタイプのセル識別子を捕捉すべきかどうかを決定するためのものである；第２のタイプのセル識別子のうちの１つを備えるメッセージをノードから受信するための手段と；を備える。
【０１６２】
いくつかの態様においては、コンピュータプログラムプロダクトは、コンピュータに、定義された１組の第１のタイプのセル識別子をノードに対して送信するように；定義された１組のセル識別子に関連する閾値をノードに対して送信するように、なおその閾値は、第２のタイプのセル識別子を捕捉すべきかどうかを決定するためのものである；そして第２のタイプのセル識別子のうちの１つを備えるメッセージをノードから受信するように；させるためのコードを備えるコンピュータ可読媒体、を備える。
【０１６３】
いくつかの態様においては、通信の第８の方法は、第１のタイプの指定されたセル識別子を備えるメッセージを受信することと、複数のセルが、指定されたセル識別子を使用するかどうかを決定することと、その決定に基づいて、指定されたセル識別子に関連する第２のタイプのセル識別子についての要求を送信することと、を備える。さらに、いくつかの態様においては、以下のうちの少なくとも１つはまた、通信の第８の方法に対して適用することもできる：第１のタイプのセル識別子は、物理セル識別子を備え、そして第２のタイプのセル識別子は、グローバルセル識別子を備える；メッセージは、指定されたセル識別子を使用するセルのうちの第１のセルからの第１の信号の受信信号強度の第１のインジケーション、をさらに備え、本方法は、セル識別子の混乱が、受信信号強度の第１のインジケーションと、指定されたセル識別子を使用するセルのうちの第２のセルからの第２の信号の受信信号強度の第２のインジケーションとに基づいて、起こり得るかどうかを決定することと、そして要求を送信することは、さらに、セル識別子の混乱が、起こり得るかどうかの決定に基づいている；メッセージを送信したノードに対して定義された１組の第１のタイプのセル識別子を送信することと、定義された１組のセル識別子に関連する閾値をノードに対して送信することと、なおその閾値は、第２のタイプのセル識別子を捕捉すべきかどうかを決定するためのものである；定義された組は、第１のタイプのセル識別子のスーパーセットのサブセットを備え、そして定義された組は、別のセルのカバレッジエリア内の複数のセルに対して割り当てられることができるセル識別子を識別する；メッセージは、測定報告を備える；本方法は、ノードに、第２のタイプの受信されたセル識別子に関連するセルに対してハンドオーバーを実行するように指示すること、をさらに備える；第１のタイプのセル識別子は、フェムトセルまたはピコセルを識別する；本方法は、基地局によって実行される。
【０１６４】
いくつかの態様においては、通信のための装置は、第１のタイプの指定されたセル識別子を備えるメッセージを受信するように構成された受信機と、複数のセルが、指定されたセル識別子を使用するかどうかを決定するように構成された混乱検出器と、その決定に基づいて、指定されたセル識別子に関連する第２のタイプのセル識別子についての要求を送信するように構成された識別子コントローラと、を備える。
【０１６５】
いくつかの態様においては、通信のための装置は、第１のタイプの指定されたセル識別子を備えるメッセージを受信するための手段と、複数のセルが、指定されたセル識別子を使用するかどうかを決定するための手段と、その決定に基づいて、指定されたセル識別子に関連する第２のタイプのセル識別子についての要求を送信するための手段と、を備える。
【０１６６】
いくつかの態様においては、コンピュータプログラムプロダクトは、コンピュータに、第１のタイプの指定されたセル識別子を備えるメッセージを受信するように、複数のセルが、指定されたセル識別子を使用するかどうかを決定するように、そしてその決定に基づいて、指定されたセル識別子に関連する第２のタイプのセル識別子についての要求を送信するように、させるためのコードを備えるコンピュータ可読媒体、を備える。
【０１６７】
いくつかの態様においては、通信の第９の方法は、複数のセルが、第１のタイプの同一のセル識別子を使用するかどうかを決定することと、同一のセル識別子についての複数の入力を備える測定報告を送信することと、を備える。さらに、いくつかの態様においては、以下のうちの少なくとも１つはまた、通信の第９の方法に対して適用することもできる：本方法は、同一のセル識別子に関連する第２のタイプのセル識別子を決定すること、をさらに備え、そして測定報告は、第２のタイプのセル識別子をさらに備える；第１のタイプのセル識別子は、物理セル識別子を備え、そして第２のタイプのセル識別子は、グローバルセル識別子を備える；決定は、複数のセルから信号を受信すること、を備え、そして信号は、同一のセル識別子を備える；セルは、フェムトセルまたはピコセルを備える；本方法は、アクセス端末によって実行される。
【０１６８】
いくつかの態様においては、通信のための装置は、複数のセルが、同一のセル識別子を使用するかどうかを決定するように構成された混乱検出器と、同一のセル識別子についての複数の入力を備える測定報告を送信するように構成された測定報告ジェネレータと、を備える。
【０１６９】
いくつかの態様においては、通信のための装置は、複数のセルが、同一のセル識別子を使用するかどうかを決定するための手段と、同一のセル識別子についての複数の入力を備える測定報告を送信するための手段と、を備える。
【０１７０】
いくつかの態様においては、コンピュータプログラムプロダクトは、コンピュータに、複数のセルが、同一のセル識別子を使用するかどうかを決定するように、そして同一のセル識別子についての複数の入力を備える測定報告を送信するように、させるためのコードを備えるコンピュータ可読媒体、を備える。
【０１７１】
いくつかの態様においては、通信の第１０の方法は、複数のセルが、同一のセル識別子を使用するかどうかを決定することと、その決定に基づいて測定報告を送信することと、を備える。さらに、いくつかの態様においては、以下のうちの少なくとも１つはまた、通信の第１０の方法に対して適用することもできる：本方法は、混乱情報についての要求を受信すること、をさらに備える；測定報告は、要求に応じて送信され、そして決定のインジケーションを備える；同一のセル識別子は、物理セル識別子を備える；セルは、同期信号および／またはパイロット信号が、現在受信されているセルを備える；セルは、我々が、定義された期間中に同期信号および／またはパイロット信号を受信したセルを備える；セルは、我々が、定義された数のハンドオーバーに関連する期間中に同期信号および／またはパイロット信号を受信したセルを備える；同一のセル識別子は、第１のタイプのセル識別子であり、本方法は、同一のセル識別子に関連する第２のタイプのセル識別子を決定すること、をさらに備え、そして測定報告は、第２のタイプのセル識別子をさらに備える；第１のタイプのセル識別子は、物理セル識別子を備え、そして第２のタイプのセル識別子は、グローバルセル識別子を備える；決定は、複数のセルから信号を受信すること、を備え、そして信号は、同一のセル識別子を備える；セルは、フェムトセルまたはピコセルを備える；本方法は、アクセス端末によって実行される。
【０１７２】
いくつかの態様においては、通信のための装置は、複数のセルが、同一のセル識別子を使用するかどうかを決定するように構成された混乱検出器と、その決定に基づいて測定報告を送信するように構成された測定報告ジェネレータと、を備える。
【０１７３】
いくつかの態様においては、通信のための装置は、複数のセルが、同一のセル識別子を使用するかどうかを決定するための手段と、その決定に基づいて測定報告を送信するための手段と、を備える。
【０１７４】
いくつかの態様においては、コンピュータプログラムプロダクトは、コンピュータに、複数のセルが、同一のセル識別子を使用するかどうかを決定するように、そしてその決定に基づいて測定報告を送信するように、させるためのコードを備えるコンピュータ可読媒体、を備える。
【０１７５】
上記を考慮して、いくつかの態様においては、通信の第１１の方法は、混乱情報についての要求を受信することと、複数のセルが、同一のセル識別子を使用するかどうかを決定することと、要求に応じてメッセージを送信することと、を備え、ここでメッセージは、決定のインジケーションを備える。さらに、いくつかの態様においては、以下のうちの少なくとも１つはまた、通信の第１１の方法に対して適用することもできる：同一のセル識別子は、物理セル識別子を備える；混乱情報についての要求は、指定されたセル識別子に関連している；メッセージは、複数のセルが、同一のセル識別子を使用するという決定の結果として送信される；要求は、測定報告についての要求を備える；メッセージは、測定報告を備える；セルは、フェムトセルまたはピコセルを備える；本方法は、アクセス端末によって実行される。
【０１７６】
いくつかの態様においては、通信のための装置は、混乱情報についての要求を受信するように構成された受信機と、複数のセルが、同一のセル識別子を使用するかどうかを決定するように構成された混乱検出器と、要求に応じてメッセージを送信するように構成された送信機と、を備え、ここでメッセージは、決定のインジケーションを備える。
【０１７７】
いくつかの態様においては、通信のための装置は、混乱情報についての要求を受信するための手段と、複数のセルが、同一のセル識別子を使用するかどうかを決定するための手段と、要求に応じてメッセージを送信するための手段と、を備え、ここでメッセージは、決定のインジケーションを備える。
【０１７８】
いくつかの態様においては、コンピュータプログラムプロダクトは、コンピュータに、混乱情報についての要求を受信するように、複数のセルが、同一のセル識別子を使用するかどうかを決定するように、そして要求に応じてメッセージを送信するように、させるためのコードを備えるコンピュータ可読媒体、を備え、ここでメッセージは、決定のインジケーションを備える。
【０１７９】
いくつかの態様においては、通信の第１、第２、第３、第４、第５、第６、第７、第８、第９、第１０、および第１１の方法に関連した１つまたは複数の上記の態様に対応する機能は、例えば、ここにおいて教示されるような構造を使用して装置の中でインプリメントされることができる。さらに、コンピュータプログラムプロダクトは、コンピュータに、通信の第１、第２、第３、第４、第５、第６、第７、第８、第９、第１０、および第１１の方法に関連した１つまたは複数の上記の態様に対応する機能を提供するようにさせるように構成されたコードを備えることができる。
【０１８０】
開示された態様についての上記の説明は、どのような当業者でも、本開示を作り、または使用することを可能にするために提供される。これらの態様に対する様々な修正は、当業者には簡単に明らかになり、そしてここにおいて定義される包括的な原理は、本開示の範囲を逸脱することなしに他の態様に対しても適用されることができる。したがって、本開示は、ここにおいて示される態様だけに限定されるようには意図されず、ここにおいて開示される原理および新規の特徴と整合した最も広い範囲を与えられるべきである。
【図１】
2011504690.tif 000003
【図２】
2011504690.tif 000004
【図３】
2011504690.tif 000005
【図４】
2011504690.tif 000006
【図５】
2011504690.tif 000007
【図６】
2011504690.tif 000008
【図７】
2011504690.tif 000009
【図８】
2011504690.tif 000010
【図９Ａ】
2011504690.tif 000011
【図９Ｂ】
2011504690.tif 000012
【図１０Ａ】
2011504690.tif 000013
【図１０Ｂ】
2011504690.tif 000014
【図１１】
2011504690.tif 000015
【図１２】
2011504690.tif 000016
【図１３】
2011504690.tif 000017
【図１４】
2011504690.tif 000018
【図１５】
2011504690.tif 000019
【図１６】
2011504690.tif 000020
【図１７】
2011504690.tif 000021
【図１８】
2011504690.tif 000022
【図１９】
2011504690.tif 000023
【図２０】
2011504690.tif 000024
【図２１】
2011504690.tif 000025
【国際調査報告】
2011504690.tif 000026
2011504690.tif 000027
2011504690.tif 000028
2011504690.tif 000029
2011504690.tif 000030